(57)【要約】【解決手段】実施例による無線電力送信機は、供給電力の強度を変換して電力信号として出力する電力変換部、無線電力受信機が充電を完了せずに無負荷状態で充電を進めるかを検査し、検査結果によって無線電力受信機への電力信号の供給を一時的に中断してから再開する送信制御部、及び電力信号を無線電力受信機に伝送する少なくとも一つの送信コイルを有する送信コイル端を含む。【選択図】図６
2018536377.tif 000002
【特許請求の範囲】
【請求項１】
電力信号を無線電力受信機に無線で伝送する無線電力送信機であって、
供給電力の強度を変換して前記電力信号として出力する電力変換部；
前記無線電力受信機が充電を完了せずに無負荷状態で充電を進めるかを検査し、前記検査された結果によって前記無線電力受信機への前記電力信号の供給を一時的に中断してから再開する送信制御部；及び
前記電力信号を前記無線電力受信機に伝送する少なくとも一つの送信コイルを有する送信コイル端を含む、無線電力送信機。
【請求項２】
前記送信制御部の制御の下で、前記無線電力送信機は前記無線電力受信機への前記電力信号の供給を一時的に中断してから再開する動作を複数回繰り返す、請求項１に記載の無線電力送信機。
【請求項３】
前記無線電力送信機は、
周波数駆動部；及び
前記無線電力受信機から伝送されて前記送信コイル端を介して受信されたフィードバック信号を復調する復調部をさらに含み、
前記送信制御部は、
前記復調部で復調されたフィードバック信号によって前記周波数駆動部を制御して、前記送信コイル端に伝達される前記電力信号の周波数を変更する、請求項１に記載の無線電力送信機。
【請求項４】
前記電力変換部は、
前記供給電力のレベルを変換するレベル変換部；及び
前記レベル変換された供給電力の電圧／電流を測定する電力センサーを含み、
前記送信制御部は前記電力センサーで測定された結果によって前記レベル変換部への前記供給電力の供給を遮断させる、請求項３に記載の無線電力送信機。
【請求項５】
前記無線電力送信機は、
前記レベル変換部から前記電力センサーに流れるレール電流のレベルを測定する第１センサー；
前記送信コイル端のうち前記無線電力受信機が無線で連結された送信コイルに流れるコイル電流のレベルを測定する第２センサー；及び
前記第１及び第２センサーで測定された結果を比較する比較部をさらに含み、
前記送信制御部は、前記比較部で比較された結果を用いて、前記無線電力受信機が無負荷状態で充電を進めるかを検査する、請求項４に記載の無線電力送信機。
【請求項６】
前記送信制御部は、前記復調されたフィードバック信号を分析して、前記無線電力受信機の完充に及ばない充電率が第１所定時間の間に一定に維持されるか；又は前記無線電力受信機から充電完了信号が第２所定時間の間に受信されないかの少なくとも一つを決定し、決定された結果を用いて前記無線電力受信機が無負荷状態で充電を進めるかを検査する、請求項５に記載の無線電力送信機。
【請求項７】
前記無線電力送信機の温度を測定する温度測定部をさらに含み、
前記送信制御部は前記温度測定部で測定された温度が上限臨界範囲内で一定時間の間に維持されるかをチェックし、チェックされた結果によって前記無線電力受信機が無負荷状態で充電を進めるかを検査する、請求項５に記載の無線電力送信機。
【請求項８】
電力信号を無線電力送信機から無線で受信する請求項１〜７のいずれか一項に記載の無線電力受信機であって、
前記送信コイル端で該当送信コイルと電磁場によって結合される受信コイル；
前記受信コイルを介して前記無線電力送信機に伝送される前記フィードバック信号を変調する変調部；
前記受信コイルを介して受信された前記電力信号を整流して充電対象に提供する整流部；及び
前記充電対象の温度が前記充電対象の温度が限界温度より大きいとき、前記整流部を制御して、前記充電対象への前記電力信号の供給を遮断して無負荷状態の充電を進め、前記フィードバック信号を発生する受信制御部を含む、無線電力受信機。
【請求項９】
前記受信制御部は、前記充電対象の充電率、充電所要時間、又は充電完了状態の少なくとも一つについての情報を含む前記フィードバック信号を生成する、請求項８に記載の無線電力受信機。
【請求項１０】
無線電力送信機から無線電力受信機に電力を無線で送信する方法であって、
供給電力の強度を変換して電力信号を生成する段階；及び
前記無線電力受信機が充電を完了せずに無負荷状態で充電を進めるとき、前記電力信号の供給を一時的に中断してから再開する段階を含む、無線電力送信方法。
【請求項１１】
前記無負荷状態で充電を進めるかを検査する段階は、
コイル電流がレール電流より大きいとき；
前記無線電力受信機の完充に及ばない充電率が第１所定時間の間に一定に維持されるとき；
前記無線電力受信機から充電完了信号が第２所定時間の間に受信されないとき；又は
前記無線電力送信機の温度が上限臨界範囲内で一定時間の間に維持されるときの少なくとも二つが満たされるとき、前記無線電力受信機が無負荷状態で充電を進めると決定する、請求項１０に記載の無線電力送信方法。
【請求項１２】
前記コイル電流が前記レール電流より大きく、前記充電完了信号が少なくとも数時間の間に受信されないとき、前記無線電力受信機が充電を完了しなかったままで無負荷状態で充電を進めると決定する、請求項１１に記載の無線電力送信方法。
【請求項１３】
前記無線電力送信機の温度の上限臨界範囲は６５°〜７５°である、請求項１１に記載の無線電力送信方法。
【請求項１４】
請求項１０又は１３のいずれか一項に記載の方法を実行させるためのプログラムを記録したコンピュータ可読の記録媒体。
【発明の詳細な説明】
【技術分野】
【０００１】
実施例は無線充電装置、その無線電力送信方法、及びそのための記録媒体に関するものである。
【背景技術】
【０００２】
近年、情報通信技術が急速に発展するにつれて、情報通信技術を基にするユビキタス社会がなされている。
【０００３】
いつでもどこでも情報通信器機が接続されるためには、社会の諸般施設に通信機能を有するコンピュータチップを内装したセンサーが取り付けられなければならない。したがって、これらの器機やセンサーへの電源供給の問題は新しい課題となっている。また、携帯電話だけではなくブルートゥース（登録商標）ハンドセットとアイポットのようなミュージックプレーヤーなどの携帯器機種類が急激に増えるにつれて、バッテリーを充電する作業が使用者に時間及び手数を要求することになった。このような問題を解決する方法として、無線電力伝送技術が最近に関心を受けている。
【０００４】
無線電力伝送技術（ｗｉｒｅｌｅｓｓ  ｐｏｗｅｒ  ｔｒａｎｓｍｉｓｓｉｏｎ又はｗｉｒｅｌｅｓｓ  ｅｎｅｒｇｙ  ｔｒａｎｓｆｅｒ）は磁場の誘導原理を用いて無線で送信機から受信機に電気エネルギーを伝送する技術であり、既に１８００年代に電磁気誘導原理を用いた電気モーター又は変圧器が使われ始め、その後には高周波、マイクロ波、レーザーなどの電磁波を放射して電気エネルギーを伝送する方法も試みられた。例えば、電動歯ブラシ又は一部の無線カミソリも電磁気誘導原理で充電される。
【０００５】
現在まで無線を用いたエネルギー伝達方式は、大別して、磁気誘導方式、電磁共振（Ｅｌｅｃｔｒｏｍａｇｎｅｔｉｃ  Ｒｅｓｏｎａｎｃｅ）方式及び短波長無線周波数を用いたＲＦ伝送方式などに区分されることができる。
【０００６】
磁気誘導方式は、二つのコイルを互いに隣り合わせた後、その一方のコイルに電流を流せば、この時に発生した磁束（Ｍａｇｎｅｔｉｃ  Ｆｌｕｘ）が他方のコイルに起電力を引き起こす現象を用いた技術であって、携帯電話のような小型器機を中心に商用化している。磁気誘導方式は最大で数百キロワット（ｋＷ）の電力を伝送することができるとともに効率も高いが、最大伝送距離が１センチメートル（ｃｍ）以下なので、一般的に充電器又は底に近づけなければならない欠点がある。
【０００７】
電磁共振方式は、電磁波又は電流などを活用する代わりに、電場又は磁場を用いる特徴がある。電磁共振方式は電磁波問題の影響をほとんど受けないので、他の電子器機又は人体に安全であるという利点がある。一方、限定された距離及び空間でだけ活用することができ、エネルギー伝達効率がちょっと低い欠点がある。
【０００８】
短波長無線電力伝送方式（すなわち、ＲＦ伝送方式）はエネルギーを電波（ＲａｄｉｏＷａｖｅ）の形態で直接送受信することができる点を活用したものである。この技術はレクテナ（ｒｅｃｔｅｎｎａ）を用いるＲＦ方式の無線電力伝送方式のものであり、レックテナはアンテナ（ａｎｔｅｎｎａ）と整流器（ｒｅｃｔｉｆｉｅｒ）の合成語で、ＲＦ電力を直接直流電力に変換する素子を意味する。すなわち、ＲＦ方式はＡＣ電波をＤＣに変換して使用する技術で、近年効率が向上するにつれて商用化に対する研究が活発に進んでいる。
【０００９】
無線電力伝送技術はモバイルだけではなくＩＴ、鉄道、家電産業などの産業全般に多様に活用することができる。
【００１０】
送信機から無線で伝送された電力は受信機のバッテリーに充電されることができる。この時、受信機のバッテリー温度が一定温度以上となれば、バッテリーの保護のために、バッテリーへの電力供給が遮断される。しかし、送信機側では受信機が充電し続けると認識して電力をずっと伝送することにより、不必要に電力が消耗される問題点がある。その上、バッテリーの保護のために、バッテリーへの電力供給が遮断されたままで長時間の間に充電されない問題点があり得る。
【発明の概要】
【発明が解決しようとする課題】
【００１１】
実施例は、受信機の過熱が感知されてバッテリー充電が遮断されたままで無負荷状態でずっと充電されて不必要な電力が消耗されることを事前に防止することができる無線電力送信装置、その無線電力送信方法、及びそのための記録媒体を提供する。
【課題を解決するための手段】
【００１２】
一実施例によると、電力信号を無線電力受信機に無線で伝送する無線電力送信機は、供給電力の強度を変換して前記電力信号として出力する電力変換部；前記無線電力受信機が充電を完了せずに無負荷状態で充電を進めるかを検査し、前記検査された結果によって前記無線電力受信機への前記電力信号の供給を一時的に中断してから再開する送信制御部；及び前記電力信号を前記無線電力受信機に伝送する少なくとも一つの送信コイルを有する送信コイル端を含むことができる。
【００１３】
例えば、前記送信制御部の制御の下で、前記無線電力送信機は前記無線電力受信機への前記電力信号の供給を一時的に中断してから再開する動作を複数回繰り返すことができる。
【００１４】
例えば、前記無線電力送信機は、周波数駆動部；及び前記無線電力受信機から伝送されて前記送信コイル端を介して受信されたフィードバック信号を復調する復調部をさらに含み、前記送信制御部は、前記復調部で復調されたフィードバック信号によって前記周波数駆動部を制御して、前記送信コイル端に伝達される前記電力信号の周波数を変更することができる。
【００１５】
例えば、前記電力変換部は、前記供給電力のレベルを変換するレベル変換部；及び前記レベル変換された供給電力の電圧／電流を測定する電力センサーを含み、前記送信制御部は前記電力センサーで測定された結果によって前記レベル変換部への前記供給電力の供給を遮断させることができる。
【００１６】
例えば、前記無線電力送信機は、前記レベル変換部から前記電力センサーに流れるレール電流のレベルを測定する第１センサー；前記送信コイル端のうち前記無線電力受信機が無線で連結された送信コイルに流れるコイル電流のレベルを測定する第２センサー；及び前記第１及び第２センサーで測定された結果を比較する比較部をさらに含み、前記送信制御部は、前記比較部で比較された結果を用いて、前記無線電力受信機が無負荷状態で充電を進めるかを検査することができる。
【００１７】
例えば、前記送信制御部は、前記復調されたフィードバック信号を分析して、前記無線電力受信機の完充に及ばない充電率が第１所定時間の間に一定に維持されるか；又は前記無線電力受信機から充電完了信号が第２所定時間の間に受信されないかの少なくとも一つを決定し、決定された結果を用いて前記無線電力受信機が無負荷状態で充電を進めるかを検査することができる。
【００１８】
例えば、前記無線電力送信機の温度を測定する温度測定部をさらに含み、前記送信制御部は前記温度測定部で測定された温度が上限臨界範囲内で一定時間の間に維持されるかをチェックし、チェックされた結果によって前記無線電力受信機が無負荷状態で充電を進めるかを検査することができる。
【００１９】
他の実施例によると、電力信号を無線電力送信機から無線で受信する無線電力受信機は、前記送信コイル端で該当送信コイルと電磁場によって結合される受信コイル；前記受信コイルを介して前記無線電力送信機に伝送される前記フィードバック信号を変調する変調部；前記受信コイルを介して受信された前記電力信号を整流して充電対象に提供する整流部；及び前記充電対象の温度が前記充電対象の温度が限界温度より大きいとき、前記整流部を制御して、前記充電対象への前記電力信号の供給を遮断して無負荷状態の充電を進め、前記フィードバック信号を発生する受信制御部を含むことができる。
【００２０】
例えば、前記受信制御部は、前記充電対象の充電率、充電所要時間、又は充電完了状態の少なくとも一つについての情報を含む前記フィードバック信号を生成することができる。
【００２１】
さらに他の実施例によると、無線電力送信機から無線電力受信機に電力を無線で送信する方法は、供給電力の強度を変換して電力信号を生成する段階；及び前記無線電力受信機が充電を完了せずに無負荷状態で充電を進めるとき、前記電力信号の供給を一時的に中断してから再開する段階を含むことができる。
【００２２】
例えば、前記無負荷状態で充電を進めるかを検査する段階は、コイル電流がレール電流より大きいとき；前記無線電力受信機の完充に及ばない充電率が第１所定時間の間に一定に維持されるとき；前記無線電力受信機から充電完了信号が第２所定時間の間に受信されないとき；又は前記無線電力送信機の温度が上限臨界範囲内で一定時間の間に維持されるときの少なくとも二つが満たされるとき、前記無線電力受信機が無負荷状態で充電を進めると決定することができる。
【００２３】
例えば、前記コイル電流が前記レール電流より大きく、前記充電完了信号が少なくとも数時間の間に受信されないとき、前記無線電力受信機が充電を完了しなかったままで無負荷状態で充電を進めると決定することができる。
【００２４】
例えば、前記無線電力送信機の温度の上限臨界範囲は６５°〜７５°であってもよい。
【００２５】
さらに他の実施例によるコンピュータ可読の記録媒体は前記方法を実行させるためのプログラムを記録することができる。
【発明の効果】
【００２６】
実施例による無線充電装置、その無線電力送信方法、及びそのための記録媒体は、無線電力受信機の充電が完了しなかった状態で無負荷状態で充電が進むことを認識し、無線電力受信機への電力供給を一時的に中断してから再開する動作を少なくとも１回行うことにより、無線電力受信機が充電されていない状況で電力を不必要に無線電力受信機に供給することによる電力消耗を減らすことができ、無線電力受信機をより早く充電させることができる。
【図面の簡単な説明】
【００２７】
以下で添付図面は本発明の理解を助けるためのもので、詳細な説明と一緒に本発明の実施例を提供する。ただ、本発明の技術的特徴が特定の図に限定されるものではなく、各図に開示する特徴は互いに組み合わせられて新しい実施例に構成されることができる。
【００２８】
【図１】ＷＰＣ標準に定義された無線電力伝送過程を説明するための状態遷移図である。
【００２９】
【図２】ＰＭＡ標準に定義された無線電力伝送過程を説明するための状態遷移図である。
【００３０】
【図３】実施例による無線電力送信機のブロック図を示す。
【００３１】
【図４ａ】コイル電流とレール電流を比較するグラフである。
【図４ｂ】コイル電流とレール電流を比較するグラフである。
【００３２】
【図５】図４による無線電力送信機から電力を受けることができる無線電力受信機のブロック図を示す。
【００３３】
【図６】実施例による無線電力送信方法を説明するためのフローチャートである。
【００３４】
【図７ａ】無線電力受信機が充電を完了しなかったままで無負荷状態で充電を進める場合、比較例による無線電力送信機の制御動作を説明するためのグラフである。
【図７ｂ】無線電力受信機が充電を完了しなかったままで無負荷状態で充電を進める場合、比較例による無線電力送信機の制御動作を説明するためのグラフである。
【００３５】
【図８ａ】無線電力受信機が充電を完了しなかったままで無負荷状態で充電を進める場合、実施例による無線電力送信機の制御動作を説明するためのグラフである。
【図８ｂ】無線電力受信機が充電を完了しなかったままで無負荷状態で充電を進める場合、実施例による無線電力送信機の制御動作を説明するためのグラフである。
【００３６】
【図９】実施例による無線電力送信機と連結された車両の概略ブロック図を示す。
【発明を実施するための形態】
【００３７】
以下、本発明の実施例が適用される装置及び多様な方法について図面に基づいてより詳細に説明する。以下の説明で使う構成要素に対する接尾辞"モジュール"及び'部"は明細書作成の容易性のみを考慮して付与するとか混用するもので、その自体として互いに区別される意味又は役割を有するものではない。
【００３８】
実施例の説明において、各構成要素の"上又は下"に形成されるものとして記載する場合、上又は下は二つの構成要素が互いに直接接触するとか一つ以上のさらに他の構成要素が二つの構成要素の間に配置されて形成されるものを全て含む。また"上又は下"と表現する場合、一つの構成要素を基準に上方だけではなく下方の意味も含むことができる。
【００３９】
実施例の説明において、無線電力システムにおいて無線電力を送信する装置は、説明の便宜のために、無線パワー送信機、無線パワー送信装置、無線電力送信装置、無線電力送信機、送信端、送信機、送信装置、送信側、無線パワー伝送装置、無線パワー伝送器などを混用して使うことにする。また、無線電力送信装置から無線電力を受信する装置についての表現として、説明の便宜のために、無線電力受信装置、無線電力受信機、無線パワー受信装置、無線パワー受信機、受信端末機、受信側、受信装置、受信機などを混用して使うことができる。
【００４０】
実施例による送信機は、パッド形態、装着部形態、ＡＰ（Ａｃｃｅｓｓ  Ｐｏｉｎｔ）形態、小型基地局形態、スタンド形態、天井埋込形態、壁掛け形態などに構成されることができる。単一送信機が複数の無線電力受信装置に電力を伝送することもできる。
【００４１】
実施例による送信機は、少なくとも一つの無線パワー伝送手段を備えることもできる。ここで、無線パワー伝送手段は、電力送信端コイルで磁場を発生させ、その磁場の影響で受信端コイルで電気を誘導する電磁気誘導原理を用いて充電する電磁気誘導方式に基づいた多様な無線電力伝送標準を用いることができる。ここで、無線パワー伝送手段は、無線充電技術標準機構であるＷＰＣ（Ｗｉｒｅｌｅｓｓ  Ｐｏｗｅｒ  Ｃｏｎｓｏｒｔｉｕｍ）、ＰＭＡ（Ｐｏｗｅｒ  Ｍａｔｔｅｒｓ  Ａｌｌｉａｎｃｅ）及びＡ４ＷＰ（Ａｌｌｉａｎｃｅ  ｆｏｒ  Ｗｉｒｅｌｅｓｓ  Ｐｏｗｅｒ）で定義された電磁気誘導方式の無線充電技術を含むことができる。
【００４２】
また、実施例による受信機は少なくとも一つの無線電力受信手段を備えることができ、二つ以上の送信機から同時に無線電力を受信することもできる。ここで、無線電力受信手段は、無線充電技術標準機構であるＷＰＣ（Ｗｉｒｅｌｅｓｓ  Ｐｏｗｅｒ  Ｃｏｎｓｏｒｔｉｕｍ）、ＰＭＡ（Ｐｏｗｅｒ  Ｍａｔｔｅｒｓ  Ａｌｌｉａｎｃｅ）及びＡ４ＷＰ（Ａｌｌｉａｎｃｅ  ｆｏｒ  Ｗｉｒｅｌｅｓｓ  Ｐｏｗｅｒ）で定義された電磁気誘導方式の無線充電技術を含むことができる。
【００４３】
実施例による受信機は、携帯電話（ｍｏｂｉｌｅ  ｐｈｏｎｅ）、スマートフォン（ｓｍａｒｔ  ｐｈｏｎｅ）、ノートブック型パソコン（ｌａｐｔｏｐ  ｃｏｍｐｕｔｅｒ）、デジタル端末機、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、ナビゲーション、ＭＰ３  ｐｌａｙｅｒ、電動歯ブラシ、電子タグ、照明装置、リモートコントローラー、浮き、スマートウォッチのようなウェアラブルデバイスなどの小型電子器機などに使うことができるが、これに限るものはなく、本発明による無線電力受信手段が装着されてバッテリーを充電することができる器機であれば充分である。
【００４４】
図１はＷＰＣ標準に定義された無線電力伝送過程を説明するための状態遷移図である。
【００４５】
図１を参照すると、ＷＰＣ標準による送信機から受信機への電力伝送は、大別して、選択段階（Ｓｅｌｅｃｔｉｏｎ  Ｐｈａｓｅ）１０、ピング段階（Ｐｉｎｇ  Ｐｈａｓｅ）２０、識別及び構成段階（Ｉｄｅｎｔｉｆｉｃａｔｉｏｎ  ａｎｄ  Ｃｏｎｆｉｇｕｒａｔｉｏｎ  Ｐｈａｓｅ）３０及び電力伝送段階（Ｐｏｗｅｒ  Ｔｒａｎｓｆｅｒ  Ｐｈａｓｅ）４０段階に区分することができる。
【００４６】
選択段階１０は、電力伝送を始めるとか電力伝送を維持するうち特定のエラー又は特定のイベントが感知されれば、遷移する段階であり得る。ここで、特定のエラー及び特定のイベントは以下の説明から明らかになるであろう。また、選択段階１０で、送信機はインターフェース表面に物体が存在するかをモニターすることができる。仮に、送信機がインターフェース表面に物体が置かれたことを感知すれば、ピング段階２０に遷移することができる（Ｓ１）。選択段階１０で、送信機は非常に短いパルスのアナログピング（Ａｎａｌｏｇ  Ｐｉｎｇ）信号を伝送し、送信コイルの電流変化に基づいてインターフェース表面の活性領域（Ａｃｔｉｖｅ  Ａｒｅａ）に物体が存在するかを感知することができる。
【００４７】
ピング段階２０で、送信機が物体を感知すれば、受信機を活性化させ、受信機がＷＰＣ標準が互換可能な受信機であるかを識別するためのデジタルピング（Ｄｉｇｉｔａｌ  Ｐｉｎｇ）を伝送する。ピング段階２０で、送信機がデジタルピングに対する応答シグナル（例えば、シグナル強度指示子）を受信機から受信することができなければ、また選択段階１０に遷移することができる（Ｓ２）。また、ピング段階２０で、送信機は受信機から電力伝送が完了したことを指示する信号（以下、'充電完了信号'）（ＥＰＴ）を受信すれば、選択段階１０に遷移することもできる（Ｓ３）。
【００４８】
ピング段階２０が完了すれば、送信機は受信機識別及び受信機構成及び状態情報を収集するための識別及び構成段階３０に遷移することができる（Ｓ４）。
【００４９】
識別及び構成段階３０で、送信機は予期せぬパケットが受信されるとか（ｕｎｅｘｐｅｃｔｅｄ  ｐａｃｋｅｔ）、所定の時間の間に所望のパケットが受信されないとか（ｔｉｍｅ  ｏｕｔ）、パケット伝送エラーがあるとか（ｔｒａｎｓｍｉｓｓｉｏｎ  ｅｒｒｏｒ）、電力伝送契約が設定されていなければ（ｎｏ  ｐｏｗｅｒ  ｔｒａｎｓｆｅｒ  ｃｏｎｔｒａｃｔ）、選択段階１０に遷移することができる（Ｓ５）。
【００５０】
受信機に対する識別及び構成が完了すれば、送信機は無線電力を伝送する電力伝送段階４０に遷移することができる（Ｓ６）。
【００５１】
電力伝送段階４０で、送信機は、予期せぬパケットが受信されるとか（ｕｎｅｘｐｅｃｔｅｄ  ｐａｃｋｅｔ）、所定の時間の間に所望のパケットが受信されないとか（ｔｉｍｅ  ｏｕｔ）、期設定の電力伝送契約に対する違反が発生するとか（ｐｏｗｅｒ  ｔｒａｎｓｆｅｒ  ｃｏｎｔｒａｃｔ  ｖｉｏｌａｔｉｏｎ）、充電が完了した場合、選択段階１０に遷移することができる（Ｓ７）。
【００５２】
また、電力伝送段階４０で、送信機は、送信機状態変化などによって電力伝送契約を再構成する必要がある場合、識別及び構成段階３０に遷移することができる（Ｓ８）。
【００５３】
前述した電力伝送契約は送信機と受信機の状態及び特性情報に基づいて設定することができる。一例として、送信機状態情報は最大に伝送可能な電力量についての情報、最大に収容可能な受信機の個数についての情報などを含むことができ、受信機状態情報は要求電力についての情報などを含むことができる。
【００５４】
図２はＰＭＡ標準に定義された無線電力伝送過程を説明するための状態遷移図である。
【００５５】
図２を参照すると、ＰＭＡ標準による送信機から受信機へのパワー伝送は、大別して、待機段階（Ｓｔａｎｄｂｙ  Ｐｈａｓｅ）５０、デジタルピング段階（Ｄｉｇｉｔａｌ  Ｐｉｎｇ  Ｐｈａｓｅ）６０、識別段階（Ｉｄｅｎｔｉｆｉｃａｔｉｏｎ  Ｐｈａｓｅ）７０、電力伝送段階（Ｐｏｗｅｒ  Ｔｒａｎｓｆｅｒ  Ｐｈａｓｅ）８０段階及び充電完了段階（Ｅｎｄ  ｏｆ  Ｃｈａｒｇｅ  Ｐｈａｓｅ）９０に区分することができる。
【００５６】
待機段階５０は、電力伝送のための受信機識別過程を行うとか電力伝送を維持するうちに特定のエラー又は特定のイベントが感知されれば、遷移する段階であり得る。ここで、特定のエラー及び特定のイベントは以下の説明から明らかになるであろう。また、待機段階５０で、送信機は充電表面（Ｃｈａｒｇｉｎｇ  Ｓｕｒｆａｃｅ）に物体が存在するかをモニターすることができる。仮に、送信機が充電表面に物体が置かれたことを感知するとかＲＸＩＤ再試行が進んでいる場合、デジタルピング段階６０に遷移することができる（Ｓ３１）。ここで、ＲＸＩＤはＰＭＡ互換受信機に割り当てられる固有識別子である。待機段階５０で、送信機は非常に短いパルスのアナログピング（Ａｎａｌｏｇ  Ｐｉｎｇ）を伝送し、送信コイルの電流変化に基づいてインターフェース表面（例えば、充電ベッド）の活性領域（Ａｃｔｉｖｅ  Ａｒｅａ）に物体が存在するかを感知することができる。
【００５７】
デジタルピング段階６０に遷移した送信機は、感知された物体がＰＭＡ互換受信機であるかを識別するためのデジタルピング信号を送出する。送信機が伝送したデジタルピング信号によって受信端に十分な電力が供給される場合、受信機は受信されたデジタルピング信号をＰＭＡ通信プロトコルによって変調し、所定の応答シグナルを送信機に伝送することができる。ここで、応答シグナルは受信機に受信された電力の強度を指示する信号強度指示子を含むことができる。デジタルピング段階６０で、受信機は有効な応答シグナルを受信すれば、識別段階７０に遷移することができる（Ｓ３２）。
【００５８】
仮に、デジタルピング段階６０で、応答シグナルが受信されないとか、ＰＭＡ互換受信機ではないことが確認されれば（すなわち、ＦＯＤ（Ｆｏｒｅｉｇｎ  Ｏｂｊｅｃｔ  Ｄｅｔｅｃｔｉｏｎ）の場合）、送信機は待機段階５０に遷移することができる（Ｓ３３）。一例として、ＦＯ（Ｆｏｒｅｉｇｎ  Ｏｂｊｅｃｔ）は小銭、キーなどの金属性物体であり得る。
【００５９】
識別段階７０で、送信機は受信機識別過程が失敗するとか受信機識別過程を再実行しなければならない場合及び所定の時間の間に受信機識別過程を完了することができなかった場合、待機段階５０に遷移することができる（Ｓ３４）。
【００６０】
送信機は、受信機識別に成功すれば、識別段階７０から電力伝送段階８０に遷移して充電を開始することができる（Ｓ３５）。
【００６１】
電力伝送段階８０で、送信機は所望の信号が所定の時間内に受信されないとか（Ｔｉｍｅ  ｏｕｔ）、ＦＯが感知されるとか、送信コイルの電圧が所定の基準値を超える場合、待機段階５０に遷移することができる（Ｓ３６）。
【００６２】
また、電力伝送段階８０で、送信機は、内部に備えられた温度センサーによって感知された温度が所定基準値を超える場合、充電完了段階９０に遷移することができる（Ｓ３７）。
【００６３】
充電完了段階９０で、送信機は、受信機が充電表面から除去されたことが確認されれば、待機段階５０に遷移することができる（Ｓ３９）。
【００６４】
また、送信機は、Ｏｖｅｒ  Ｔｅｍｐｅｒａｔｕｒｅ状態で、一定時間の経過後に測定された温度が基準値以下に下がった場合、充電完了段階９０からデジタルピング段階６０に遷移することができる（Ｓ４０）。
【００６５】
デジタルピング段階６０又は電力伝送段階８０で、送信機は、受信機からＥＯＣ（Ｅｎｄ  Ｏｆ  Ｃｈａｒｇｅ）要請が受信されれば、充電完了段階９０に遷移することもできる（Ｓ３８及びＳ４１）。
【００６６】
以下、実施例による無線充電装置を添付図面に基づいて次のように説明する。ここで、無線充電装置とは、前述した送信機と受信機の両者を含む装置を意味する。前述した送信機と受信機をそれぞれ無線電力送信機及び無線電力受信機と言う。実施例による無線電力送信機１００及び無線電力受信機２００を添付図面に基づいて次のように説明する。
【００６７】
図３は実施例による無線電力送信機１００のブロック図を示す。理解を助けるために、実線は電力（又は、電力信号）の移動を示し、点線は電力以外の制御信号及び状態信号の移動を示す。
【００６８】
図３を参照すると、無線電力送信機１００は、電源部１１０、電力変換部１２０、電力伝送部１３０、送信制御部１４０、復調部１５０、第１及び第２センサー１６２、１６４、温度測定部１６６及び比較部１６８を含むことができる。このような無線電力送信機１００の各構成要素は必ずしも必須な構成ではなく、実施例による無線電力送信機１００は図３に示した構成要素より多いとか少ない構成要素を含んでなることもできる。
【００６９】
電源部１１０は供給電力を提供する役割をし、無線電力送信機１００に内蔵されたバッテリーであってもよく、外部電源であってもよいし、実施例は電源部１１０の形態に限られない。
【００７０】
電力変換部１２０は、電源部１１０から供給電力が提供されれば、これを所定強度の電力に変換し、変換された結果を電力信号として電力伝送部１３０に出力することもできる。このために、電力変換部１２０は、レベル変換部１２２、電力センサー１２４及び増幅器１２６を含むことができる。
【００７１】
レベル変換部１２２は、電源部１１０から提供される供給電力のレベルを変換し、変換されたレベルを有する信号を電力信号として出力する。例えば、レベル変換部１２２はバックコンバーター（ｂｕｃｋ  ｃｏｎｖｅｒｔｅｒ）などのような直流／直流（ＤＣ／ＤＣ）コンバーターを含むことができるが、実施例はレベル変換部１２２の構成形態に限られない。ＤＣ／ＤＣコンバーターは電源部１１０から供給されたＤＣ供給電力を送信制御部１４０から発生する制御信号によって所定強度を有するＤＣ電力に変換する機能をすることができる。
【００７２】
電力センサー１２４は、レベル変換部１２２で変換されたレベルを持って出力される電力信号の電圧／電流を測定する。具体的に、電力センサー１２４はレベル変換部１２２から出力されるＤＣ電力信号の電圧／電流などを測定して送信制御部１４０に提供することができる。
【００７３】
増幅器１２６は、レベル変換部１２２で変換されたレベルを有する電力信号の強度を送信制御部１４０から発生する制御信号によって増幅（又は、調整）することができる。一例として、送信制御部１４０は、無線電力受信機から復調部１６０を介して提供された電力制御信号（又は、フィードバック信号）を受信することができ、受信された電力制御信号によって増幅器１５０の増幅率を調整することができる。
【００７４】
送信制御部１４０は、電力センサー１２４で測定された電圧／電流値に基づいて電源部１１０又は増幅器１２６の少なくとも一つを制御することができる。すなわち、送信制御部１４０は、適応的に電源部１１０からレベル変換部１２２に供給電力が供給されることを遮断するとかあるいは増幅器１２６から電力信号が供給されるとか増幅器１２６から電力信号が出力されることを遮断することができる。このために、たとえ図示されてはいないが、電力変換部１２０の一側には電源部１１０から提供される供給電力を遮断するとか、増幅器１２６に電力信号が供給されることを遮断するとか、増幅器１２６から電力伝送部１３０に電力信号が提供されることを遮断するための電力遮断回路がさらに配置されることもできる。
【００７５】
電力伝送部１３０は、電力変換部１２０から出力される電力信号を無線電力受信機に伝送する役割をする。このために、電力伝送部１３０は、周波数駆動部１３２、コイル選択部１３４及び送信コイル端１３６を含むことができる。便宜上、送信制御部１４０及び復調部１５０は電力伝送部１３０の構成要素ではないものとして図示されているが、実施例はこれに限られない。すなわち、送信制御部１４０及び復調部１５０は電力伝送部１３０の構成要素に属することもある。
【００７６】
周波数駆動部１３２は、電力変換部１２０から出力されるＤＣ電力信号に特定周波数を有する交流（ＡＣ）成分が挿入されたＡＣ電力信号を生成して送信コイル端１３６に伝送する役割をすることができる。ここで、送信コイル端１３６に含まれた複数の送信コイルに伝達されるＡＣ電力信号の周波数は同一であるとか互いに違うことがある。
【００７７】
コイル選択部１３４は、特定の周波数を有するＡＣ電力信号を周波数駆動部１３２から受けて複数の送信コイルの中で選択された送信コイルにＡＣ電力信号を伝達することができる。ここで、コイル選択部１３４は、送信制御部１４０の所定の制御信号によって送信制御部１４０によって選択された送信コイルにＡＣ電力信号が伝達されるように制御することができる。
【００７８】
送信コイル端１３６は少なくとも一つの送信コイル１３６−１、１３６−２、．．．、１３６−Ｎを含むことができ、コイル選択部１３４から受信されたＡＣ電力信号を該当送信コイルを介して受信機に送出することができる。ここで、Ｎは１以上の正の整数であり得る。
【００７９】
複数の送信コイルのうち'該当送信コイル'を選択するため、コイル選択部１３４はスイッチ又はマルチプレクサーから具現されることができる。ここで、'該当送信コイル'とは、無線で電力を受けることができるように資格が付与された無線電力受信機の受信コイルと電磁場によって結合可能な状態を有する送信コイルを意味することができる。一実施例によると、送信制御部１４０は、送信コイル別に伝送したデジタルピング信号に対応して受信されたシグナル強度指示子（Ｓｉｇｎａｌ  Ｓｔｒｅｎｇｔｈ  Ｉｎｄｉｃａｔｏｒ）に基づいて備えられた複数の送信コイルのうち無線電力伝送に使う送信コイルを動的に選択することができる。
【００８０】
復調部１５０は、無線電力受信機から伝送されて送信コイル端１３６を介してフィードバック信号が感知されれば、感知されたフィードバック信号を復調して送信制御部１４０に出力する。ここで、復調されたフィードバック信号にはシグナル制御指示子、無線電力伝送中の電力制御のためのエラー訂正（ＥＣ：Ｅｒｒｏｒ  Ｃｏｒｒｅｃｔｉｏｎ）指示子、充電完了（ＥＯＣ：Ｅｎｄ  Ｏｆ  Ｃｈａｒｇｅ）指示子、過電圧／過電流指示子などが含まれることができるが、これに限定されず、無線電力受信機の状態を識別するための各種の状態情報が含まれることができる。
【００８１】
また、実施例によると、フィードバック信号は、無線電力受信機の充電過程の状態又は充電結果についての情報、例えば無線電力受信機の充電完了状態、充電率又は充電所要時間の少なくとも一つについての情報を含むことができる。
【００８２】
また、復調部１５０は、復調された信号が送信コイル端１３６に含まれた複数の送信コイル１３６−１〜１３６−Ｎのうちどの送信コイルから受信された信号であるかを識別することができ、識別された送信コイルに相応する所定の送信コイル識別子を送信制御部１４０に提供することもできる。
【００８３】
送信制御部１４０は、復調部１５０で復調されたフィードバック信号によって周波数駆動部１３２を制御する制御信号を出力する。周波数駆動部１３２は、送信制御部１４０から発生した制御信号に応答して、送信コイル端１３６に伝達される電力信号の周波数を変更することができる。一例として、無線電力送信機１００と無線電力受信機がインバンド（Ｉｎ−ｂａｎｄ）通信を行う場合、送信制御部１４０は周波数変調によって所定の制御信号を無線電力受信機に伝送することができる。
【００８４】
前述したように、無線電力送信機１００は送信コイル端１３６を介して無線電力を送出することができるだけではなく送信コイル端１３６を介して無線電力受信機と各種の情報を交換することができる。しかし、実施例はこれに限られない。すなわち、他の実施例によると、無線電力送信機１００は送信コイル端１３６の各送信コイルに対応する別途のコイルを備え、備えた別途のコイルを用いて無線電力受信機とインバンド通信を行うこともできる。
【００８５】
若しくは、無線電力送信機１００は送信コイル端１３６を介してのフィードバック信号ではない別途のチャネルを介して受信機と情報を交換することもできる。すなわち、無線電力送信機１００は無線電力送信のための送信コイル端１３６とは別途の通信手段、例えばブルートゥース、ＮＦＣ、Ｚｉｇｂｅｅ（登録商標）などの別途の通信手段を介して受信機と通信することもできる。この場合、受信機との情報交換のための通信は無線電力送信のための周波数とは違う周波数帯域を使うこともできる。このような別途の通信チャネルを使う場合には復調部１５０を省略することもできる。
【００８６】
また、実施例によると、送信制御部１４０は、無線電力受信機のバッテリー充電が完了しなくて過熱が発生してバッテリーへの電力供給が遮断されたままで無負荷状態で充電が進んでいるかを検査する。
【００８７】
図５で後述するように、無線電力受信機は、無線電力送信機１００から無線で伝送された電力を受信して充電対象（又は、負荷として、例えばバッテリーなど）に充電することができる。ここで、充電対象に電力が全く充電される場合、無線電力受信機は電力が充電対象にそれ以上提供できないように遮断することができる。しかし、電力が充電対象に提供されることはできなくても無線電力受信機は無線電力送信機から低レベルの電力を受けることができる。このように、充電対象の充電が完了する場合、無線電力受信機は無負荷状態で充電を進めることができる。
【００８８】
その他に、無線電力受信機で必要な状況に充電対象への電力供給を遮断することができる。例えば、無線電力受信機は、充電対象への電力の充電が完了しなかった状況で、充電対象の温度が高い場合、例えば４０℃の場合、充電対象への電力供給を遮断することができる。このように、充電対象が充電を完了しなかった状況でも無線電力受信機は無負荷状態で充電を進めることができる。
【００８９】
前述した二つの場合を考慮すると、'無線電力受信機が無負荷状態で充電を進める状況'は'無線電力受信機から充電対象への電力供給が遮断された状況'を意味することができるが、実施例はこれに限られない。
【００９０】
一方、実施例による無線電力送信機１００は、無線電力受信機が充電を完了せずに無負荷状態で充電を進める状況にあるかを次のような四つの条件の少なくとも二つの条件が満たされるかを検査して認知することができる。
【００９１】
第１条件として、送信制御部１４０はコイル電流（ｃｏｉｌ  ｃｕｒｒｅｎｔ）（ＩＣ）がレール電流（ｒａｉｌ  ｃｕｒｒｅｎｔ）（ＩＲ）より大きいかを検査することができる。
【００９２】
レール電流（ＩＲ）とは、レベル変換部１２２から電力センサー１２４に流れる電流を意味することができる。また、コイル電流とは、送信コイル端１３６に含まれた複数の送信コイルのうち'該当送信コイル'に流れる電流を意味することができる。
【００９３】
図４ａ及び図４ｂはコイル電流（ＩＣ）とレール電流（ＩＲ）を比較するグラフであって、横軸は時間を示し、縦軸はレベルを示す。
【００９４】
一般に、無線電力受信機で充電を完了しなくて進めている場合、図４ａに示したように、レール電流はコイル電流より大きい値を維持する。しかし、無線電力受信機で充電が完了した場合、図４ｂに示したように、コイル電流がレール電流より大きくなる。このように、無線電力受信機が無負荷状態で充電を進める状況でコイル電流がレール電流より大きくなることがある。
【００９５】
前述した第１条件を遂行するため、図３に示したように、無線電力送信機１００は第１及び第２センサー１６２、１６４及び比較部１６８を含むことができる。第１センサー１６２はレベル変換部１２２と電力センサー１２４の間に連結され、レール電流のレベルを測定し、測定された結果を比較部１６８に出力する。第２センサー１６４は送信コイル端１３６で'該当送信コイル'に流れるコイル電流のレベルを測定し、測定された結果を比較部１６８に出力する。
【００９６】
比較部１６８は第１センサー１６２で測定されたレール電流のレベルと第２センサー１６４で測定されたコイル電流のレベルを比較し、比較された結果を送信制御部１４０に出力する。
【００９７】
送信制御部１４０は比較部１６８で比較された結果を用いて、コイル電流がレール電流より大きいかを判断することができる。
【００９８】
第２条件として、送信制御部１４０は無線電力受信機の充電率が第１所定時間の間に一定に維持されるかを検査することができる。
【００９９】
無線電力受信機に含まれた充電対象の充電率は事前に決定されることができる。したがって、送信制御部１４０は事前に決定された充電率のどおりに充電対象が完充されなかったままで第１所定時間の間に完充に及ばない充電率を一定に維持するかを検査することができる。
【０１００】
例えば、前述した第２条件は第１条件が満たされるときに遂行することもでき、第１条件の充足可否に無関係に遂行することもできる。
【０１０１】
仮に、第１条件が満たされるときに第２条件を遂行すれば、コイル電流がレール電流より大きい場合には、前述したように、一般的に無線電力受信機の充電が完了した場合である。それにもかかわらず、充電対象の充電が完充されなかったまま、第１所定時間の間に一様に維持されれば、送信制御部１４０は無線電力受信機が無負荷状態で充電を進めると決定することができる。
【０１０２】
送信制御部１４０で無線電力受信機の充電対象の充電率を検査するため、無線電力受信部から伝送されたフィードバック信号を用いることができるが、実施例はこれに限られない。
【０１０３】
第３条件として、送信制御部１４０は無線電力受信機から充電完了信号が第２所定時間の間に受信されなかったかを検査することができる。ここで、第２所定時間は、例えば１時間であってもよいが、実施例はこれに限られない。
【０１０４】
無線電力受信機に含まれた充電対象が充電を完了する場合、無線電力受信機の充電完了を無線電力送信機に伝送することができる。無線電力受信機に含まれた充電対象の充電にかかる第２所定時間は前もって決定されることができる。したがって、送信制御部１４０は前もって決定された第２所定時間の間に充電完了信号が無線電力受信部から伝送されなかったかを検査することができる。
【０１０５】
例えば、前述した第３条件は第１条件が満たされるときに遂行することもできる。この場合、コイル電流がレール電流より大きい場合には、前述したように、一般的に無線電力受信機の充電が完了した場合である。それにもかかわらず、無線電力受信機から充電が完了したことを指示する所定の制御信号が第２所定時間の間に無線電力送信機に受信されなかったならば、送信制御部１４０は無線電力受信機の充電が完了しなかった状態で無線電力受信機が無負荷状態で充電を進めると決定することができる。
【０１０６】
無線電力受信機の充電が完了したことを知らせる情報はフィードバック信号によって無線電力受信部から無線電力送信部に伝送されることができる。
【０１０７】
送信制御部１４０は、無線電力受信機から伝送されて送信コイル端１３６を介して入ったフィードバック信号を分析することによって前述した第２及び第３条件を遂行することができる。
【０１０８】
第４条件として、無線電力送信機の温度が上限臨界範囲内にあるかを検査する。例えば、上限臨界範囲は６５°〜７５°であり得るが、実施例はこれに限られない。
【０１０９】
このために、温度測定部１６６がさらに配置されることもできる。温度測定部１６６は、無線電力送信機１００の温度を測定し、測定された結果を送信制御部１４０に出力することができる。例えば、温度測定部１６６はサーミスター（ｔｈｅｒｍｉｓｔｅｒ）から具現されることができるが、実施例はこれに限られない。よって、送信制御部１４０は、温度測定部１６６で測定された無線電力送信機１００の温度が上限臨界範囲内で一定時間の間に維持されるかをチェックし、チェックされた結果によって無線電力受信機が無負荷状態で充電を進めるかを検査することができる。
【０１１０】
前述した多様な方法によって、無線電力受信機が充電を完了せずに無負荷状態で充電を進めていると決定する場合、送信制御部１４０は、無線電力受信機に電力信号が供給されることを一時的に中断してから再開することができる。ここで、無線電力受信機への電力信号の供給が一時的に中断される期間は無線電力受信機、特に充電対象の温度を数℃程度、例えば２℃程度下げるのにかかる程度の期間であり得る。例えば、一時的な中断期間は１０分であり得るが、実施例はこれに限られない。
【０１１１】
また、送信制御部１４０の制御の下で、無線電力送信機１００が無線電力受信機への電力信号の供給を一時的に中断してから再開する動作は複数回繰り返し遂行することができる。ここで、繰り返し回数は２回程度であり得るが、実施例は特定の繰り返し回数に限られない。
【０１１２】
また、一時的に電力信号の供給を中断するため、送信制御部１４０は、電源部１１０が供給電力を電力変換部１２０に提供することができないように遮断することもでき、増幅器１２６が増幅された電力信号を出力することができないように遮断することもできるが、実施例は電力信号供給遮断の特定の方式に限られない。
【０１１３】
以下、前述した実施例による無線電力送信機１００から電力を受ける無線電力受信機２００について添付図面に基づいて次のように説明する。
【０１１４】
図５は図４による無線電力送信機１００から電力を受けることができる無線電力受信機２００のブロック図を示す。理解を助けるために、実線は電力（又は、電力信号）の移動を示し、点線は電力以外の制御信号及び状態信号の移動を示す。
【０１１５】
図５を参照すると、無線電力受信機２００は、受信コイル２１０、整流部２２０、電圧制御部２３０、受信制御部２４０、変調部２５０及び充電対象（又は、負荷）２６０を含むことができる。
【０１１６】
受信コイル２００は共振回路（ｒｅｓｏｎａｎｔ  ｃｉｒｃｕｉｔ）を構成することができる２次コイル（ｓｅｃｏｎｄａｒｙ  ｃｏｉｌ）を含むことができる。電力伝送効率を強化するために、選択的に受信コイル２００に直列又は並列でキャパシターを連結することができる。電磁気誘導方式によって、無線電力送信機１００から無線電力受信機２００に電力を伝送するとき、受信コイル２００は送信コイル端１３６で'該当送信コイル'と電磁場によって結合することができる。
【０１１７】
整流部２２０は、受信コイル２００を介して入力されるＡＣ形態の電力信号を全波整流（ｆｕｌｌ−ｗａｖｅ  ｒｅｃｔｉｆｉｃａｔｉｏｎ）し、全波整流された結果を電圧制御部２３０に出力する。
【０１１８】
電圧制御部２３０は、整流部２２０から出力される全波整流された結果を充電対象２６０に充電可能なレベルのＤＣ形態の電力信号に変換する。電圧制御部２３０は、充電対象２６０が要求する電圧レベルに適するように又は充電対象２３０の状態に応じてＤＣ形態の電力信号の電圧大きさ又は電流量を調節することもできる。例えば、電圧制御部２３０はＤＣ／ＤＣコンバーターであってもよいが、実施例はこれに限られない。
【０１１９】
受信制御部２４０は、充電対象２６０を監視して充電過程を統制し、無線電力送信機１００の通信のために変調部２５０を動作させる。また、受信制御部２４０は、無線電力受信機２００の正常動作を遂行するために必要な付随的な動作環境を監視及び統制することができる。
【０１２０】
また、受信制御部２４０は、充電対象２６０の充電が完了するときにそれ以上の電力が充電対象２６０に供給されないように、整流部２２０又は電圧制御部２３０を制御して、無線電力受信機２００が無負荷状態で充電を進めるようにすることができる。この時、受信制御部２４０は、充電が完了したことを知らせる充電完了状態についての情報をフィードバック信号に含ませて変調部２５０を介して無線電力送信機１００に伝送することができる。
【０１２１】
また、充電対象２６０の充電が完了しなかった場合であっても、受信制御部２４０は、充電対象２６０の温度が高いとき、整流部２２０又は電圧制御部２３０を制御して充電対象２６０への電力信号の供給を遮断することで、無線電力受信機２００が無負荷状態で充電を進めるようにすることができる。
【０１２２】
また、受信制御部２４０は、充電対象２６０の前述した充電完了状態、充電率又は充電所要時間の少なくとも一つについての情報を含むフィードバック信号を生成し、生成されたフィードバック信号を変調部２５０に出力することができる。このように、フィードバック信号は無線電力受信機２００の充電過程の状態又は充電結果についての情報を含むことができる。
【０１２３】
また、変調部２５０は通常抵抗とキャパシターを含んでおり、受信制御部２４０で生成されて受信コイル２１０を介して無線電力送信機１００に伝送されるフィードバック信号を変調する役割をする。
【０１２４】
以下、前述した無線電力送信機１００で行われる無線電力送信方法を添付図面に基づいて次のように説明する。
【０１２５】
図６は実施例による無線電力送信方法を説明するためのフローチャートである。
【０１２６】
図６に示した無線電力送信方法は図５に示した無線電力受信機２００に電力を無線で供給する図３に示した無線電力送信機１００で遂行することができる。
【０１２７】
まず、無線電力送信機１００は供給電力の強度を変換して電力信号を生成する（第３１０段階）。第３１０段階は、前述したように、図３に示した電力変換部１２０で遂行することができる。
【０１２８】
その後、無線電力受信機（Ｒｘ）２００が充電を完了せずに無負荷状態で充電を進めるかを判別する（第３２０段階）。第３２０段階は送信制御部１４０で遂行することができる。すなわち、前述したように、四つの条件の少なくとも二つの条件が満たされるとき、送信制御部１４０は無線電力受信機２００が充電を完了せずに無負荷状態で充電を進めると決定することができる。
【０１２９】
より詳細に、第３２０段階を遂行するため、無線電力送信機１００は、コイル電流がレール電流より大きいかを検査することができ、無線電力受信機２００の充電率が第１所定時間の間に一定に維持されるかを検査することができ、無線電力受信機２００から充電完了信号が第２所定時間の間に受信されなかったかを検査することができ、無線電力送信機１００の温度が上限臨界範囲内で一定時間の間に維持されるかを検査することができる。
【０１３０】
例えば、無線電力送信機１００は、コイル電流がレール電流より大きい第1条件が満たされ、充電完了信号が第２所定時間の間に、例えば少なくとも数時間の間に受信されなかった第３条件が満たされるとき、無線電力受信機２００が充電を完了しなかったままで無負荷状態で充電を進めると決定することができるが、実施例はこれに限られない。
【０１３１】
その他に、前述した四つの条件の少なくとも二つの組合せが満たされるとき、無線電力受信機２００が充電を完了しなかったままで無負荷状態で充電を進めると決定することができる。
【０１３２】
仮に、無線電力受信機２００が充電を完了せずに無負荷状態で充電を進めると決定されるとき、電力信号の供給を一時的に中断してから再開する動作を少なくとも１回遂行することができる（第３３０段階）。第３３０段階は送信制御部１４０で遂行することができる。すなわち、送信制御部１４０は前述した四つの条件の少なくとも二つが満たされるとき、電源部１１０又は増幅器１２６を制御して、電力信号が送信コイル端１３６に伝送されることを一時的に遮断させるとか再開することができる。
【０１３３】
図７ａ及び図７ｂは無線電力受信機２００が充電を完了しなかったままで無負荷状態で充電を進める場合、比較例による無線電力送信機の制御動作を説明するためのグラフである。
【０１３４】
図８ａ及び図８ｂは無線電力受信機２００が充電を完了しなかったままで無負荷状態で充電を進める場合、実施例による無線電力送信機１００の制御動作を説明するためのグラフである。
【０１３５】
図７ａ及び図８ａのそれぞれにおいて、縦軸は充電率を示し、横軸は時間を示す。図７ｂ及び図８ｂのそれぞれにおいて、縦軸は温度を示し、横軸は時間を示す。
【０１３６】
図７ａに示したように、無線電力受信機２００が７０％まで充電して充電を完了しなかった状況で充電対象２６０の温度が一定の温度より上がれば、無線電力受信機は充電対象２６０への電力供給を遮断する無負荷状態で充電を進める。
【０１３７】
この場合、比較例によると、無線電力送信機は無線電力受信機２００から充電完了信号を受けなかっただけでなく無線電力受信機２００が低電力で電力をずっと充電すると認識して、無線電力受信機２００に電力をずっと供給する。したがって、無線電力受信機２００の充電率が増加しなかった状態で、すなわち無線電力受信機２００の充電対象２６０に電力が充電されなかった状態で長期間（Ｔ）、例えば１０時間以上の間に不必要に電力が消耗されるだけでなく無線電力受信機２００そのものの温度が増加する問題点がある。
【０１３８】
しかし、実施例によると、無線電力送信機１００が無線電力受信機２００から充電完了信号を受けなかったと言っても、前述した四つの条件、すなわちコイル電流がレール電流より大きい第１条件、無線電力受信機２００の充電率が第１所定時間の間に一定に維持される第２条件、無線電力受信機２００から充電完了信号が第２所定時間の間に受信されない第３条件、又は無線電力送信機２００の温度が上限臨界範囲内で一定時間の間に維持される第４条件の少なくとも二つが満たされるかを送信制御部１４０が検査する。この時、少なくとも二つの条件が満たされるとき、送信制御部１４０は電力を一時的に無線電力受信機２００に伝送しなかった後に電力の供給を再開する動作を少なくとも１回、例えば２回程度繰り返す。したがって、一時的に電力供給が遮断されることにより、無線電力受信機２００、特に充電対象２６０の温度が数℃程度下がることがあるから、無線電力受信機２００の充電時間を、図７ａの比較例に比べ、図８ａに示したようによほど縮めることができ、不必要な電力消耗を減らすことができ、無線電力受信機２００の充電時間を大幅に減らすことができる。
【０１３９】
前述した実施例による無線電力送信機、無線電力受信機及び無線電力送信方法は、無線電力送信機から無線電力受信機に磁気誘導方式によって電力を無線で伝送する場合に限って説明した。しかし、実施例はこれに限られない。すなわち、前述した実施例による無線電力送信機、無線電力受信機及び無線電力送信方法は磁気誘導方式の代わりに電磁共振方式又は短波長無線周波数を用いたＲＦ伝送方式によって無線電力送信機から無線電力受信機に電力を無線で伝送する場合にも適用することができるのは言うまでもない。
【０１４０】
前述した実施例による無線電力送信方法はコンピュータで実行されるためのプログラムに製作されてコンピュータ可読の記録媒体に保存されることができ、コンピュータ可読の記録媒体の例としては、ＲＯＭ、ＲＡＭ、ＣＤ−ＲＯＭ、磁気テープ、フロッピー（登録商標）ディスク、光データ記憶装置などがあり、さらに搬送波（例えば、インターネットを介しての伝送）の形態に具現されるものも含む。
【０１４１】
コンピュータ可読の記録媒体はネットワークを介して連結されたコンピュータシステムに分散され、分散方式でコンピュータが読めるコードが保存されて実行されることができる。そして、上述した方法を具現するための機能的な（ｆｕｎｃｔｉｏｎ）プログラム、コード及びコードセグメントは実施例が属する技術分野のプログラマーによって容易に推論可能である。
【０１４２】
前述した実施例による無線電力送信機１００は多様な装置に含まれ、無線電力受信機２００に電力を無線で伝送することができる。以下、無線電力送信機１００が車両に適用（又は、装着）される場合、無線電力送信機１００と連結された車両の構成及び動作について添付の図９を参照して次のように説明する。
【０１４３】
図９は実施例による無線電力送信機１００と連結された車両４００の概略ブロック図を示す。
【０１４４】
図９に示した車両４００は、バックコンバーター（ｂｕｃｋ  ｃｏｎｖｅｒｔｅｒ）１２２Ａ、センサー１２４Ａ、保護部４０２、入力電圧モニタリング（ｍｏｎｉｔｏｒｉｎｇ）部４０４、インターフェース（ｉｎｔｅｒｆａｃｅ）部４０６、ＣＡＮ（Ｃｏｎｔｒｏｌｌｅｒ  Ａｒｅａ  Ｎｅｔｗｏｒｋ）トランシーバー（ｔｒａｎｓｃｅｉｖｅｒ）４０８、ディスプレイ部４１０、第１レギュレーター４１２、信号合成部４１４、第２レギュレーター４１６及び主制御部４１８を含むことができる。
【０１４５】
保護部４０２は、車両４００のバッテリー（図示せず）から供給される電圧（ＢＡＴ）をバックコンバーター１２２Ａに出力する。この時、保護部４０２はバッテリーから供給され得る過電圧又は逆電圧からバックコンバーター１２２Ａを保護する役割をする。
【０１４６】
図９に示したバックコンバーター１２２Ａ及びセンサー１２４Ａは図３に示したレベル変換部１２２及び電力センサー１２４のそれぞれの実施例に相当する。バックコンバーター１２２Ａは保護部４０２を介してバッテリーから供給される供給電力のレベルを変換し、変換されたレベルを有する信号を電力信号としてセンサー１２４Ａに出力する。センサー１２４Ａはバックコンバーター１２２Ａで変換されたレベルを持って出力される電力信号の電圧／電流を測定して出力端子ＯＵＴ１を介して送信制御部１４０に提供することができる。
【０１４７】
入力電圧モニタリング部４０４は入力端子ＩＮ１を介してスマートキー信号又は点火信号が受信されるかをモニターし、モニターされた結果を主制御部４１８に出力する。ここで、スマートキー信号とは、車両４００の無線電力送信機１００が無線で電力信号を無線電力受信機２００に提供する行為を強制で止めようとする使用者がスマートキー（図示せず）を用いて発生させる信号を意味する。例えば、無線電力信号を強制で止めようとする場合は第１論理レベル（例えば"低"論理レベル）のスマートキー信号が発生し、そうではない場合は第２論理レベル（例えば"高"論理レベル）のスマートキー信号が発生することができる。また、点火信号とは、車両４００を始動させるときに発生する信号を意味し、例えば始動される場合は第２論理レベル（例えば、"高"論理レベル）の点火信号が発生し、そうではない場合は第１論理レベル（例えば"低"論理レベル）の点火信号が発生することができる。
【０１４８】
また、入力電圧モニタリング部４０４から発生するモニターされた結果を用いて、主制御部４１８は車両が始動されたか及び使用者が無線電力送信を強制で止めようとするかを認識し、認識された結果を出力端子ＯＵＴ４を介して送信制御部１４０に出力する。この時、送信制御部１４０は、主制御部４１８から出力された認識された結果によって、無線電力送信機１００が無線電力伝送を止めるようにする。
【０１４９】
主制御部４１８はマスター（ｍａｓｔｅｒ）制御部の役割をし、送信制御部１４０はスレーブ（ｓｌａｖｅ）制御部の役割をする。すなわち、送信制御部１４０は主制御部４１８の制御を受ける。このために、主制御部４１８と送信制御部１４０はＳＰＩ（Ｓｅｒｉａｌ  Ｐｅｒｉｐｈｅｒａｌ  Ｉｎｔｅｒｆａｃｅ）通信を行うとかＩ２Ｃ通信を行うことができる。
【０１５０】
また、主制御部４１８はスマートキー信号又は点火信号が発生しなかった状態でも、第２論理レベルの信号を発生して信号合成部４１４に出力することができる。
【０１５１】
センサー１２４Ａで測定された電圧／電流のレベルによってバックコンバーター１２２Ａでレベル変換された供給電力のレベルが高いとか低いと判断されるとき、主制御部４１８は第１制御信号（Ｃ１）によってバックコンバーター１２２Ａで変換させるレベルを調整することができる。
【０１５２】
また、インターフェース部４０６は入力端子ＩＮ１を介して受信されたスマートキー信号又は点火信号を信号合成部４１４に出力する役割をする。信号合成部４１４は、インターフェース部４０６から第２論理レベルのスマートキー信号が出力されるとか、主制御部４１８から第２論理レベルの制御信号が受信されれば、第１レギュレーター４１２でレベル調整しないようにするとか、レベル調整された電圧が出力されないようにすることができる。このために、信号合成部４１４は論理和（ＯＲ）ゲートから具現されることができる。
【０１５３】
第１レギュレーター４１２は、保護部４０２を介してバッテリーから提供される供給電圧のレベルを所定のレベルに変換し、変換されたレベルを有する供給電圧を出力端子ＯＵＴ２を介して無線電力送信機１００の各部に出力する。ここで、所定のレベルは６．５ボルトであり得るが、実施例はこれに限られない。例えば、信号合成部４１４から出力される"高"論理レベルの制御電圧に応じて、第１レギュレーター４１２は前述したレベル変換動作を行わないこともある。
【０１５４】
第２レギュレーター４１６は第１レギュレーター４１２から出力される供給電圧のレベルをさらに調整して、所望のレベルを有する信号を出力端子ＯＵＴ３を介して送信制御部１４０に出力するとか主制御部４１８に出力することができる。例えば、第２レギュレーター４１６は供給電圧のレベルを変換し、変換されたレベル、例えば５．５ボルトの信号を主制御部４１８に出力し、出力端子ＯＵＴ３を介して変換されたレベル、例えば３．３ボルトの信号を送信制御部１４０に出力することができる。
【０１５５】
前述した第１及び第２レギュレーター４１２、４１６のそれぞれで変換されるレベルは固定され、バックコンバーター１２２Ａで変換されるレベルは主制御部４１８の制御によって可変することができる。
【０１５６】
一方、ＣＡＮトランシーバー４０８は車両４００の通信のためのＣＡＮ信号（ＣＡＮ）を受信し、これによって主制御部４１８と内部的に通信を行うことができる。
【０１５７】
ディスプレイ部４１０は、主制御部４１８の制御の下で、無線電力受信機２００の充電中の状況を使用者に視覚的に見せることもできる。
【０１５８】
本発明は本発明の精神及び必須特徴を逸脱しない範疇内で他の特定の形態に具体化されることができるのは当業者に明らかである。
【０１５９】
したがって、前記詳細な説明は全ての面で制限的に解釈されてはいけなくて例示的なものとし見なされなければならない。本発明の範囲は添付の請求範囲の合理的解釈によって決定されなければならなく、本発明の等価的範囲内での全ての変更は本発明の範囲に含まれる。
【図１】
2018536377.tif 000003
【図２】
2018536377.tif 000004
【図３】
2018536377.tif 000005
【図４ａ】
2018536377.tif 000006
【図４ｂ】
2018536377.tif 000007
【図５】
2018536377.tif 000008
【図６】
2018536377.tif 000009
【図７ａ】
2018536377.tif 000010
【図７ｂ】
2018536377.tif 000011
【図８ａ】
2018536377.tif 000012
【図８ｂ】
2018536377.tif 000013
【図９】
2018536377.tif 000014
【手続補正書】
【提出日】平成30年6月5日(2018.6.5)
【手続補正１】
【補正対象書類名】明細書
【補正対象項目名】全文
【補正方法】変更
【補正の内容】
【発明の詳細な説明】
【技術分野】
【０００１】
実施例は無線充電装置、その無線電力送信方法、及びそのための記録媒体に関するものである。
【背景技術】
【０００２】
近年、情報通信技術が急速に発展するにつれて、情報通信技術を基にするユビキタス社会がなされている。
【０００３】
いつでもどこでも情報通信器機が接続されるためには、社会の諸般施設に通信機能を有するコンピュータチップを内装したセンサーが取り付けられなければならない。したがって、これらの器機やセンサーへの電源供給の問題は新しい課題となっている。また、携帯電話だけではなくブルートゥース（登録商標）ハンドセットとアイポットのようなミュージックプレーヤーなどの携帯器機種類が急激に増えるにつれて、バッテリーを充電する作業が使用者に時間及び手数を要求することになった。このような問題を解決する方法として、無線電力伝送技術が最近に関心を受けている。
【０００４】
無線電力伝送技術（ｗｉｒｅｌｅｓｓ  ｐｏｗｅｒ  ｔｒａｎｓｍｉｓｓｉｏｎ又はｗｉｒｅｌｅｓｓ  ｅｎｅｒｇｙ  ｔｒａｎｓｆｅｒ）は磁場の誘導原理を用いて無線で送信機から受信機に電気エネルギーを伝送する技術であり、既に１８００年代に電磁気誘導原理を用いた電気モーター又は変圧器が使われ始め、その後には高周波、マイクロ波、レーザーなどの電磁波を放射して電気エネルギーを伝送する方法も試みられた。例えば、電動歯ブラシ又は一部の無線カミソリも電磁気誘導原理で充電される。
【０００５】
現在まで無線を用いたエネルギー伝達方式は、大別して、磁気誘導方式、電磁共振（Ｅｌｅｃｔｒｏｍａｇｎｅｔｉｃ  Ｒｅｓｏｎａｎｃｅ）方式及び短波長無線周波数を用いたＲＦ伝送方式などに区分されることができる。
【０００６】
磁気誘導方式は、二つのコイルを互いに隣り合わせた後、その一方のコイルに電流を流せば、この時に発生した磁束（Ｍａｇｎｅｔｉｃ  Ｆｌｕｘ）が他方のコイルに起電力を引き起こす現象を用いた技術であって、携帯電話のような小型器機を中心に商用化している。磁気誘導方式は最大で数百キロワット（ｋＷ）の電力を伝送することができるとともに効率も高いが、最大伝送距離が１センチメートル（ｃｍ）以下なので、一般的に充電器又は底に近づけなければならない欠点がある。
【０００７】
電磁共振方式は、電磁波又は電流などを活用する代わりに、電場又は磁場を用いる特徴がある。電磁共振方式は電磁波問題の影響をほとんど受けないので、他の電子器機又は人体に安全であるという利点がある。一方、限定された距離及び空間でだけ活用することができ、エネルギー伝達効率がちょっと低い欠点がある。
【０００８】
短波長無線電力伝送方式（すなわち、ＲＦ伝送方式）はエネルギーを電波（ＲａｄｉｏＷａｖｅ）の形態で直接送受信することができる点を活用したものである。この技術はレクテナ（ｒｅｃｔｅｎｎａ）を用いるＲＦ方式の無線電力伝送方式のものであり、レックテナはアンテナ（ａｎｔｅｎｎａ）と整流器（ｒｅｃｔｉｆｉｅｒ）の合成語で、ＲＦ電力を直接直流電力に変換する素子を意味する。すなわち、ＲＦ方式はＡＣ電波をＤＣに変換して使用する技術で、近年効率が向上するにつれて商用化に対する研究が活発に進んでいる。
【０００９】
無線電力伝送技術はモバイルだけではなくＩＴ、鉄道、家電産業などの産業全般に多様に活用することができる。
【００１０】
送信機から無線で伝送された電力は受信機のバッテリーに充電されることができる。この時、受信機のバッテリー温度が一定温度以上となれば、バッテリーの保護のために、バッテリーへの電力供給が遮断される。しかし、送信機側では受信機が充電し続けると認識して電力をずっと伝送することにより、不必要に電力が消耗される問題点がある。その上、バッテリーの保護のために、バッテリーへの電力供給が遮断されたままで長時間の間に充電されない問題点があり得る。
【発明の概要】
【発明が解決しようとする課題】
【００１１】
実施例は、受信機の過熱が感知されてバッテリー充電が遮断されたままで無負荷状態でずっと充電されて不必要な電力が消耗されることを事前に防止することができる無線電力送信装置、その無線電力送信方法、及びそのための記録媒体を提供する。
【課題を解決するための手段】
【００１２】
一実施例によると、電力信号を無線電力受信機に無線で伝送する無線電力送信機は、供給電力の強度を変換して前記電力信号として出力する電力変換部；前記無線電力受信機が充電を完了せずに無負荷状態で充電を進めるかを検査し、前記検査された結果によって前記無線電力受信機への前記電力信号の供給を一時的に中断してから再開する送信制御部；及び前記電力信号を前記無線電力受信機に伝送する少なくとも一つの送信コイルを有する送信コイル端を含むことができる。
【００１３】
例えば、前記送信制御部の制御の下で、前記無線電力送信機は前記無線電力受信機への前記電力信号の供給を一時的に中断してから再開する動作を複数回繰り返すことができる。
【００１４】
例えば、前記無線電力送信機は、周波数駆動部；及び前記無線電力受信機から伝送されて前記送信コイル端を介して受信されたフィードバック信号を復調する復調部をさらに含み、前記送信制御部は、前記復調部で復調されたフィードバック信号によって前記周波数駆動部を制御して、前記送信コイル端に伝達される前記電力信号の周波数を変更することができる。
【００１５】
例えば、前記電力変換部は、前記供給電力のレベルを変換するレベル変換部；及び前記レベル変換された供給電力の電圧／電流を測定する電力センサーを含み、前記送信制御部は前記電力センサーで測定された結果によって前記レベル変換部への前記供給電力の供給を遮断させることができる。
【００１６】
例えば、前記無線電力送信機は、前記レベル変換部から前記電力センサーに流れるレール電流のレベルを測定する第１センサー；前記送信コイル端のうち前記無線電力受信機が無線で連結された送信コイルに流れるコイル電流のレベルを測定する第２センサー；及び前記第１及び第２センサーで測定された結果を比較する比較部をさらに含み、前記送信制御部は、前記比較部で比較された結果を用いて、前記無線電力受信機が無負荷状態で充電を進めるかを検査することができる。
【００１７】
例えば、前記送信制御部は、前記復調されたフィードバック信号を分析して、前記無線電力受信機の完充に及ばない充電率が第１所定時間の間に一定に維持されるか；又は前記無線電力受信機から充電完了信号が第２所定時間の間に受信されないかの少なくとも一つを決定し、決定された結果を用いて前記無線電力受信機が無負荷状態で充電を進めるかを検査することができる。
【００１８】
例えば、前記無線電力送信機の温度を測定する温度測定部をさらに含み、前記送信制御部は前記温度測定部で測定された温度が上限臨界範囲内で一定時間の間に維持されるかをチェックし、チェックされた結果によって前記無線電力受信機が無負荷状態で充電を進めるかを検査することができる。
【００１９】
他の実施例によると、電力信号を無線電力送信機から無線で受信する無線電力受信機は、前記送信コイル端で該当送信コイルと電磁場によって結合される受信コイル；前記受信コイルを介して前記無線電力送信機に伝送される前記フィードバック信号を変調する変調部；前記受信コイルを介して受信された前記電力信号を整流して充電対象に提供する整流部；及び前記充電対象の温度が限界温度より大きいとき、前記整流部を制御して、前記充電対象への前記電力信号の供給を遮断して無負荷状態の充電を進め、前記フィードバック信号を発生する受信制御部を含むことができる。
【００２０】
例えば、前記受信制御部は、前記充電対象の充電率、充電所要時間、又は充電完了状態の少なくとも一つについての情報を含む前記フィードバック信号を生成することができる。
【００２１】
さらに他の実施例によると、無線電力送信機から無線電力受信機に電力を無線で送信する方法は、供給電力の強度を変換して電力信号を生成する段階；及び前記無線電力受信機が充電を完了せずに無負荷状態で充電を進めるとき、前記電力信号の供給を一時的に中断してから再開する段階を含むことができる。
【００２２】
例えば、前記無負荷状態で充電を進めるかを検査する段階は、コイル電流がレール電流より大きいとき；前記無線電力受信機の完充に及ばない充電率が第１所定時間の間に一定に維持されるとき；前記無線電力受信機から充電完了信号が第２所定時間の間に受信されないとき；又は前記無線電力送信機の温度が上限臨界範囲内で一定時間の間に維持されるときの少なくとも二つが満たされるとき、前記無線電力受信機が無負荷状態で充電を進めると決定することができる。
【００２３】
例えば、前記コイル電流が前記レール電流より大きく、前記充電完了信号が少なくとも数時間の間に受信されないとき、前記無線電力受信機が充電を完了しなかったままで無負荷状態で充電を進めると決定することができる。
【００２４】
例えば、前記無線電力送信機の温度の上限臨界範囲は６５°〜７５°であってもよい。
【００２５】
さらに他の実施例によるコンピュータ可読の記録媒体は前記方法を実行させるためのプログラムを記録することができる。
【発明の効果】
【００２６】
実施例による無線充電装置、その無線電力送信方法、及びそのための記録媒体は、無線電力受信機の充電が完了しなかった状態で無負荷状態で充電が進むことを認識し、無線電力受信機への電力供給を一時的に中断してから再開する動作を少なくとも１回行うことにより、無線電力受信機が充電されていない状況で電力を不必要に無線電力受信機に供給することによる電力消耗を減らすことができ、無線電力受信機をより早く充電させることができる。
【図面の簡単な説明】
【００２７】
以下で添付図面は本発明の理解を助けるためのもので、詳細な説明と一緒に本発明の実施例を提供する。ただ、本発明の技術的特徴が特定の図に限定されるものではなく、各図に開示する特徴は互いに組み合わせられて新しい実施例に構成されることができる。
【００２８】
【図１】ＷＰＣ標準に定義された無線電力伝送過程を説明するための状態遷移図である。
【００２９】
【図２】ＰＭＡ標準に定義された無線電力伝送過程を説明するための状態遷移図である。
【００３０】
【図３】実施例による無線電力送信機のブロック図を示す。
【００３１】
【図４ａ】コイル電流とレール電流を比較するグラフである。
【図４ｂ】コイル電流とレール電流を比較するグラフである。
【００３２】
【図５】図４による無線電力送信機から電力を受けることができる無線電力受信機のブロック図を示す。
【００３３】
【図６】実施例による無線電力送信方法を説明するためのフローチャートである。
【００３４】
【図７ａ】無線電力受信機が充電を完了しなかったままで無負荷状態で充電を進める場合、比較例による無線電力送信機の制御動作を説明するためのグラフである。
【図７ｂ】無線電力受信機が充電を完了しなかったままで無負荷状態で充電を進める場合、比較例による無線電力送信機の制御動作を説明するためのグラフである。
【００３５】
【図８ａ】無線電力受信機が充電を完了しなかったままで無負荷状態で充電を進める場合、実施例による無線電力送信機の制御動作を説明するためのグラフである。
【図８ｂ】無線電力受信機が充電を完了しなかったままで無負荷状態で充電を進める場合、実施例による無線電力送信機の制御動作を説明するためのグラフである。
【００３６】
【図９】実施例による無線電力送信機と連結された車両の概略ブロック図を示す。
【発明を実施するための形態】
【００３７】
以下、本発明の実施例が適用される装置及び多様な方法について図面に基づいてより詳細に説明する。以下の説明で使う構成要素に対する接尾辞"モジュール"及び'部"は明細書作成の容易性のみを考慮して付与するとか混用するもので、その自体として互いに区別される意味又は役割を有するものではない。
【００３８】
実施例の説明において、各構成要素の"上又は下"に形成されるものとして記載する場合、上又は下は二つの構成要素が互いに直接接触するとか一つ以上のさらに他の構成要素が二つの構成要素の間に配置されて形成されるものを全て含む。また"上又は下"と表現する場合、一つの構成要素を基準に上方だけではなく下方の意味も含むことができる。
【００３９】
実施例の説明において、無線電力システムにおいて無線電力を送信する装置は、説明の便宜のために、無線パワー送信機、無線パワー送信装置、無線電力送信装置、無線電力送信機、送信端、送信機、送信装置、送信側、無線パワー伝送装置、無線パワー伝送器などを混用して使うことにする。また、無線電力送信装置から無線電力を受信する装置についての表現として、説明の便宜のために、無線電力受信装置、無線電力受信機、無線パワー受信装置、無線パワー受信機、受信端末機、受信側、受信装置、受信機などを混用して使うことができる。
【００４０】
実施例による送信機は、パッド形態、装着部形態、ＡＰ（Ａｃｃｅｓｓ  Ｐｏｉｎｔ）形態、小型基地局形態、スタンド形態、天井埋込形態、壁掛け形態などに構成されることができる。単一送信機が複数の無線電力受信装置に電力を伝送することもできる。
【００４１】
実施例による送信機は、少なくとも一つの無線パワー伝送手段を備えることもできる。ここで、無線パワー伝送手段は、電力送信端コイルで磁場を発生させ、その磁場の影響で受信端コイルで電気を誘導する電磁気誘導原理を用いて充電する電磁気誘導方式に基づいた多様な無線電力伝送標準を用いることができる。ここで、無線パワー伝送手段は、無線充電技術標準機構であるＷＰＣ（Ｗｉｒｅｌｅｓｓ  Ｐｏｗｅｒ  Ｃｏｎｓｏｒｔｉｕｍ）、ＰＭＡ（Ｐｏｗｅｒ  Ｍａｔｔｅｒｓ  Ａｌｌｉａｎｃｅ）及びＡ４ＷＰ（Ａｌｌｉａｎｃｅ  ｆｏｒ  Ｗｉｒｅｌｅｓｓ  Ｐｏｗｅｒ）で定義された電磁気誘導方式の無線充電技術を含むことができる。
【００４２】
また、実施例による受信機は少なくとも一つの無線電力受信手段を備えることができ、二つ以上の送信機から同時に無線電力を受信することもできる。ここで、無線電力受信手段は、無線充電技術標準機構であるＷＰＣ（Ｗｉｒｅｌｅｓｓ  Ｐｏｗｅｒ  Ｃｏｎｓｏｒｔｉｕｍ）、ＰＭＡ（Ｐｏｗｅｒ  Ｍａｔｔｅｒｓ  Ａｌｌｉａｎｃｅ）及びＡ４ＷＰ（Ａｌｌｉａｎｃｅ  ｆｏｒ  Ｗｉｒｅｌｅｓｓ  Ｐｏｗｅｒ）で定義された電磁気誘導方式の無線充電技術を含むことができる。
【００４３】
実施例による受信機は、携帯電話（ｍｏｂｉｌｅ  ｐｈｏｎｅ）、スマートフォン（ｓｍａｒｔ  ｐｈｏｎｅ）、ノートブック型パソコン（ｌａｐｔｏｐ  ｃｏｍｐｕｔｅｒ）、デジタル端末機、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、ナビゲーション、ＭＰ３  ｐｌａｙｅｒ、電動歯ブラシ、電子タグ、照明装置、リモートコントローラー、浮き、スマートウォッチのようなウェアラブルデバイスなどの小型電子器機などに使うことができるが、これに限るものはなく、本発明による無線電力受信手段が装着されてバッテリーを充電することができる器機であれば充分である。
【００４４】
図１はＷＰＣ標準に定義された無線電力伝送過程を説明するための状態遷移図である。
【００４５】
図１を参照すると、ＷＰＣ標準による送信機から受信機への電力伝送は、大別して、選択段階（Ｓｅｌｅｃｔｉｏｎ  Ｐｈａｓｅ）１０、ピング段階（Ｐｉｎｇ  Ｐｈａｓｅ）２０、識別及び構成段階（Ｉｄｅｎｔｉｆｉｃａｔｉｏｎ  ａｎｄ  Ｃｏｎｆｉｇｕｒａｔｉｏｎ  Ｐｈａｓｅ）３０及び電力伝送段階（Ｐｏｗｅｒ  Ｔｒａｎｓｆｅｒ  Ｐｈａｓｅ）４０段階に区分することができる。
【００４６】
選択段階１０は、電力伝送を始めるとか電力伝送を維持するうち特定のエラー又は特定のイベントが感知されれば、遷移する段階であり得る。ここで、特定のエラー及び特定のイベントは以下の説明から明らかになるであろう。また、選択段階１０で、送信機はインターフェース表面に物体が存在するかをモニターすることができる。仮に、送信機がインターフェース表面に物体が置かれたことを感知すれば、ピング段階２０に遷移することができる（Ｓ１）。選択段階１０で、送信機は非常に短いパルスのアナログピング（Ａｎａｌｏｇ  Ｐｉｎｇ）信号を伝送し、送信コイルの電流変化に基づいてインターフェース表面の活性領域（Ａｃｔｉｖｅ  Ａｒｅａ）に物体が存在するかを感知することができる。
【００４７】
ピング段階２０で、送信機が物体を感知すれば、受信機を活性化させ、受信機がＷＰＣ標準が互換可能な受信機であるかを識別するためのデジタルピング（Ｄｉｇｉｔａｌ  Ｐｉｎｇ）を伝送する。ピング段階２０で、送信機がデジタルピングに対する応答シグナル（例えば、シグナル強度指示子）を受信機から受信することができなければ、また選択段階１０に遷移することができる（Ｓ２）。また、ピング段階２０で、送信機は受信機から電力伝送が完了したことを指示する信号（以下、'充電完了信号'）（ＥＰＴ）を受信すれば、選択段階１０に遷移することもできる（Ｓ３）。
【００４８】
ピング段階２０が完了すれば、送信機は受信機識別及び受信機構成及び状態情報を収集するための識別及び構成段階３０に遷移することができる（Ｓ４）。
【００４９】
識別及び構成段階３０で、送信機は予期せぬパケットが受信されるとか（ｕｎｅｘｐｅｃｔｅｄ  ｐａｃｋｅｔ）、所定の時間の間に所望のパケットが受信されないとか（ｔｉｍｅ  ｏｕｔ）、パケット伝送エラーがあるとか（ｔｒａｎｓｍｉｓｓｉｏｎ  ｅｒｒｏｒ）、電力伝送契約が設定されていなければ（ｎｏ  ｐｏｗｅｒ  ｔｒａｎｓｆｅｒ  ｃｏｎｔｒａｃｔ）、選択段階１０に遷移することができる（Ｓ５）。
【００５０】
受信機に対する識別及び構成が完了すれば、送信機は無線電力を伝送する電力伝送段階４０に遷移することができる（Ｓ６）。
【００５１】
電力伝送段階４０で、送信機は、予期せぬパケットが受信されるとか（ｕｎｅｘｐｅｃｔｅｄ  ｐａｃｋｅｔ）、所定の時間の間に所望のパケットが受信されないとか（ｔｉｍｅ  ｏｕｔ）、期設定の電力伝送契約に対する違反が発生するとか（ｐｏｗｅｒ  ｔｒａｎｓｆｅｒ  ｃｏｎｔｒａｃｔ  ｖｉｏｌａｔｉｏｎ）、充電が完了した場合、選択段階１０に遷移することができる（Ｓ７）。
【００５２】
また、電力伝送段階４０で、送信機は、送信機状態変化などによって電力伝送契約を再構成する必要がある場合、識別及び構成段階３０に遷移することができる（Ｓ８）。
【００５３】
前述した電力伝送契約は送信機と受信機の状態及び特性情報に基づいて設定することができる。一例として、送信機状態情報は最大に伝送可能な電力量についての情報、最大に収容可能な受信機の個数についての情報などを含むことができ、受信機状態情報は要求電力についての情報などを含むことができる。
【００５４】
図２はＰＭＡ標準に定義された無線電力伝送過程を説明するための状態遷移図である。
【００５５】
図２を参照すると、ＰＭＡ標準による送信機から受信機へのパワー伝送は、大別して、待機段階（Ｓｔａｎｄｂｙ  Ｐｈａｓｅ）５０、デジタルピング段階（Ｄｉｇｉｔａｌ  Ｐｉｎｇ  Ｐｈａｓｅ）６０、識別段階（Ｉｄｅｎｔｉｆｉｃａｔｉｏｎ  Ｐｈａｓｅ）７０、電力伝送段階（Ｐｏｗｅｒ  Ｔｒａｎｓｆｅｒ  Ｐｈａｓｅ）８０段階及び充電完了段階（Ｅｎｄ  ｏｆ  Ｃｈａｒｇｅ  Ｐｈａｓｅ）９０に区分することができる。
【００５６】
待機段階５０は、電力伝送のための受信機識別過程を行うとか電力伝送を維持するうちに特定のエラー又は特定のイベントが感知されれば、遷移する段階であり得る。ここで、特定のエラー及び特定のイベントは以下の説明から明らかになるであろう。また、待機段階５０で、送信機は充電表面（Ｃｈａｒｇｉｎｇ  Ｓｕｒｆａｃｅ）に物体が存在するかをモニターすることができる。仮に、送信機が充電表面に物体が置かれたことを感知するとかＲＸＩＤ再試行が進んでいる場合、デジタルピング段階６０に遷移することができる（Ｓ３１）。ここで、ＲＸＩＤはＰＭＡ互換受信機に割り当てられる固有識別子である。待機段階５０で、送信機は非常に短いパルスのアナログピング（Ａｎａｌｏｇ  Ｐｉｎｇ）を伝送し、送信コイルの電流変化に基づいてインターフェース表面（例えば、充電ベッド）の活性領域（Ａｃｔｉｖｅ  Ａｒｅａ）に物体が存在するかを感知することができる。
【００５７】
デジタルピング段階６０に遷移した送信機は、感知された物体がＰＭＡ互換受信機であるかを識別するためのデジタルピング信号を送出する。送信機が伝送したデジタルピング信号によって受信端に十分な電力が供給される場合、受信機は受信されたデジタルピング信号をＰＭＡ通信プロトコルによって変調し、所定の応答シグナルを送信機に伝送することができる。ここで、応答シグナルは受信機に受信された電力の強度を指示する信号強度指示子を含むことができる。デジタルピング段階６０で、受信機は有効な応答シグナルを受信すれば、識別段階７０に遷移することができる（Ｓ３２）。
【００５８】
仮に、デジタルピング段階６０で、応答シグナルが受信されないとか、ＰＭＡ互換受信機ではないことが確認されれば（すなわち、ＦＯＤ（Ｆｏｒｅｉｇｎ  Ｏｂｊｅｃｔ  Ｄｅｔｅｃｔｉｏｎ）の場合）、送信機は待機段階５０に遷移することができる（Ｓ３３）。一例として、ＦＯ（Ｆｏｒｅｉｇｎ  Ｏｂｊｅｃｔ）は小銭、キーなどの金属性物体であり得る。
【００５９】
識別段階７０で、送信機は受信機識別過程が失敗するとか受信機識別過程を再実行しなければならない場合及び所定の時間の間に受信機識別過程を完了することができなかった場合、待機段階５０に遷移することができる（Ｓ３４）。
【００６０】
送信機は、受信機識別に成功すれば、識別段階７０から電力伝送段階８０に遷移して充電を開始することができる（Ｓ３５）。
【００６１】
電力伝送段階８０で、送信機は所望の信号が所定の時間内に受信されないとか（Ｔｉｍｅ  ｏｕｔ）、ＦＯが感知されるとか、送信コイルの電圧が所定の基準値を超える場合、待機段階５０に遷移することができる（Ｓ３６）。
【００６２】
また、電力伝送段階８０で、送信機は、内部に備えられた温度センサーによって感知された温度が所定基準値を超える場合、充電完了段階９０に遷移することができる（Ｓ３７）。
【００６３】
充電完了段階９０で、送信機は、受信機が充電表面から除去されたことが確認されれば、待機段階５０に遷移することができる（Ｓ３９）。
【００６４】
また、送信機は、Ｏｖｅｒ  Ｔｅｍｐｅｒａｔｕｒｅ状態で、一定時間の経過後に測定された温度が基準値以下に下がった場合、充電完了段階９０からデジタルピング段階６０に遷移することができる（Ｓ４０）。
【００６５】
デジタルピング段階６０又は電力伝送段階８０で、送信機は、受信機からＥＯＣ（Ｅｎｄ  Ｏｆ  Ｃｈａｒｇｅ）要請が受信されれば、充電完了段階９０に遷移することもできる（Ｓ３８及びＳ４１）。
【００６６】
以下、実施例による無線充電装置を添付図面に基づいて次のように説明する。ここで、無線充電装置とは、前述した送信機と受信機の両者を含む装置を意味する。前述した送信機と受信機をそれぞれ無線電力送信機及び無線電力受信機と言う。実施例による無線電力送信機１００及び無線電力受信機２００を添付図面に基づいて次のように説明する。
【００６７】
図３は実施例による無線電力送信機１００のブロック図を示す。理解を助けるために、実線は電力（又は、電力信号）の移動を示し、点線は電力以外の制御信号及び状態信号の移動を示す。
【００６８】
図３を参照すると、無線電力送信機１００は、電源部１１０、電力変換部１２０、電力伝送部１３０、送信制御部１４０、復調部１５０、第１及び第２センサー１６２、１６４、温度測定部１６６及び比較部１６８を含むことができる。このような無線電力送信機１００の各構成要素は必ずしも必須な構成ではなく、実施例による無線電力送信機１００は図３に示した構成要素より多いとか少ない構成要素を含んでなることもできる。
【００６９】
電源部１１０は供給電力を提供する役割をし、無線電力送信機１００に内蔵されたバッテリーであってもよく、外部電源であってもよいし、実施例は電源部１１０の形態に限られない。
【００７０】
電力変換部１２０は、電源部１１０から供給電力が提供されれば、これを所定強度の電力に変換し、変換された結果を電力信号として電力伝送部１３０に出力することもできる。このために、電力変換部１２０は、レベル変換部１２２、電力センサー１２４及び増幅器１２６を含むことができる。
【００７１】
レベル変換部１２２は、電源部１１０から提供される供給電力のレベルを変換し、変換されたレベルを有する信号を電力信号として出力する。例えば、レベル変換部１２２はバックコンバーター（ｂｕｃｋ  ｃｏｎｖｅｒｔｅｒ）などのような直流／直流（ＤＣ／ＤＣ）コンバーターを含むことができるが、実施例はレベル変換部１２２の構成形態に限られない。ＤＣ／ＤＣコンバーターは電源部１１０から供給されたＤＣ供給電力を送信制御部１４０から発生する制御信号によって所定強度を有するＤＣ電力に変換する機能をすることができる。
【００７２】
電力センサー１２４は、レベル変換部１２２で変換されたレベルを持って出力される電力信号の電圧／電流を測定する。具体的に、電力センサー１２４はレベル変換部１２２から出力されるＤＣ電力信号の電圧／電流などを測定して送信制御部１４０に提供することができる。
【００７３】
増幅器１２６は、レベル変換部１２２で変換されたレベルを有する電力信号の強度を送信制御部１４０から発生する制御信号によって増幅（又は、調整）することができる。一例として、送信制御部１４０は、無線電力受信機から復調部１5０を介して提供された電力制御信号（又は、フィードバック信号）を受信することができ、受信された電力制御信号によって増幅器１26の増幅率を調整することができる。
【００７４】
送信制御部１４０は、電力センサー１２４で測定された電圧／電流値に基づいて電源部１１０又は増幅器１２６の少なくとも一つを制御することができる。すなわち、送信制御部１４０は、適応的に電源部１１０からレベル変換部１２２に供給電力が供給されることを遮断するとかあるいは増幅器１２６から電力信号が供給されるとか増幅器１２６から電力信号が出力されることを遮断することができる。このために、たとえ図示されてはいないが、電力変換部１２０の一側には電源部１１０から提供される供給電力を遮断するとか、増幅器１２６に電力信号が供給されることを遮断するとか、増幅器１２６から電力伝送部１３０に電力信号が提供されることを遮断するための電力遮断回路がさらに配置されることもできる。
【００７５】
電力伝送部１３０は、電力変換部１２０から出力される電力信号を無線電力受信機に伝送する役割をする。このために、電力伝送部１３０は、周波数駆動部１３２、コイル選択部１３４及び送信コイル端１３６を含むことができる。便宜上、送信制御部１４０及び復調部１５０は電力伝送部１３０の構成要素ではないものとして図示されているが、実施例はこれに限られない。すなわち、送信制御部１４０及び復調部１５０は電力伝送部１３０の構成要素に属することもある。
【００７６】
周波数駆動部１３２は、電力変換部１２０から出力されるＤＣ電力信号に特定周波数を有する交流（ＡＣ）成分が挿入されたＡＣ電力信号を生成して送信コイル端１３６に伝送する役割をすることができる。ここで、送信コイル端１３６に含まれた複数の送信コイルに伝達されるＡＣ電力信号の周波数は同一であるとか互いに違うことがある。
【００７７】
コイル選択部１３４は、特定の周波数を有するＡＣ電力信号を周波数駆動部１３２から受けて複数の送信コイルの中で選択された送信コイルにＡＣ電力信号を伝達することができる。ここで、コイル選択部１３４は、送信制御部１４０の所定の制御信号によって送信制御部１４０によって選択された送信コイルにＡＣ電力信号が伝達されるように制御することができる。
【００７８】
送信コイル端１３６は少なくとも一つの送信コイル１３６−１、１３６−２、．．．、１３６−Ｎを含むことができ、コイル選択部１３４から受信されたＡＣ電力信号を該当送信コイルを介して受信機に送出することができる。ここで、Ｎは１以上の正の整数であり得る。
【００７９】
複数の送信コイルのうち'該当送信コイル'を選択するため、コイル選択部１３４はスイッチ又はマルチプレクサーから具現されることができる。ここで、'該当送信コイル'とは、無線で電力を受けることができるように資格が付与された無線電力受信機の受信コイルと電磁場によって結合可能な状態を有する送信コイルを意味することができる。一実施例によると、送信制御部１４０は、送信コイル別に伝送したデジタルピング信号に対応して受信されたシグナル強度指示子（Ｓｉｇｎａｌ  Ｓｔｒｅｎｇｔｈ  Ｉｎｄｉｃａｔｏｒ）に基づいて備えられた複数の送信コイルのうち無線電力伝送に使う送信コイルを動的に選択することができる。
【００８０】
復調部１５０は、無線電力受信機から伝送されて送信コイル端１３６を介してフィードバック信号が感知されれば、感知されたフィードバック信号を復調して送信制御部１４０に出力する。ここで、復調されたフィードバック信号にはシグナル制御指示子、無線電力伝送中の電力制御のためのエラー訂正（ＥＣ：Ｅｒｒｏｒ  Ｃｏｒｒｅｃｔｉｏｎ）指示子、充電完了（ＥＯＣ：Ｅｎｄ  Ｏｆ  Ｃｈａｒｇｅ）指示子、過電圧／過電流指示子などが含まれることができるが、これに限定されず、無線電力受信機の状態を識別するための各種の状態情報が含まれることができる。
【００８１】
また、実施例によると、フィードバック信号は、無線電力受信機の充電過程の状態又は充電結果についての情報、例えば無線電力受信機の充電完了状態、充電率又は充電所要時間の少なくとも一つについての情報を含むことができる。
【００８２】
また、復調部１５０は、復調された信号が送信コイル端１３６に含まれた複数の送信コイル１３６−１〜１３６−Ｎのうちどの送信コイルから受信された信号であるかを識別することができ、識別された送信コイルに相応する所定の送信コイル識別子を送信制御部１４０に提供することもできる。
【００８３】
送信制御部１４０は、復調部１５０で復調されたフィードバック信号によって周波数駆動部１３２を制御する制御信号を出力する。周波数駆動部１３２は、送信制御部１４０から発生した制御信号に応答して、送信コイル端１３６に伝達される電力信号の周波数を変更することができる。一例として、無線電力送信機１００と無線電力受信機がインバンド（Ｉｎ−ｂａｎｄ）通信を行う場合、送信制御部１４０は周波数変調によって所定の制御信号を無線電力受信機に伝送することができる。
【００８４】
前述したように、無線電力送信機１００は送信コイル端１３６を介して無線電力を送出することができるだけではなく送信コイル端１３６を介して無線電力受信機と各種の情報を交換することができる。しかし、実施例はこれに限られない。すなわち、他の実施例によると、無線電力送信機１００は送信コイル端１３６の各送信コイルに対応する別途のコイルを備え、備えた別途のコイルを用いて無線電力受信機とインバンド通信を行うこともできる。
【００８５】
若しくは、無線電力送信機１００は送信コイル端１３６を介してのフィードバック信号ではない別途のチャネルを介して受信機と情報を交換することもできる。すなわち、無線電力送信機１００は無線電力送信のための送信コイル端１３６とは別途の通信手段、例えばブルートゥース、ＮＦＣ、Ｚｉｇｂｅｅ（登録商標）などの別途の通信手段を介して受信機と通信することもできる。この場合、受信機との情報交換のための通信は無線電力送信のための周波数とは違う周波数帯域を使うこともできる。このような別途の通信チャネルを使う場合には復調部１５０を省略することもできる。
【００８６】
また、実施例によると、送信制御部１４０は、無線電力受信機のバッテリー充電が完了しなくて過熱が発生してバッテリーへの電力供給が遮断されたままで無負荷状態で充電が進んでいるかを検査する。
【００８７】
図５で後述するように、無線電力受信機は、無線電力送信機１００から無線で伝送された電力を受信して充電対象（又は、負荷として、例えばバッテリーなど）に充電することができる。ここで、充電対象に電力が全く充電される場合、無線電力受信機は電力が充電対象にそれ以上提供できないように遮断することができる。しかし、電力が充電対象に提供されることはできなくても無線電力受信機は無線電力送信機から低レベルの電力を受けることができる。このように、充電対象の充電が完了する場合、無線電力受信機は無負荷状態で充電を進めることができる。
【００８８】
その他に、無線電力受信機で必要な状況に充電対象への電力供給を遮断することができる。例えば、無線電力受信機は、充電対象への電力の充電が完了しなかった状況で、充電対象の温度が高い場合、例えば４０℃の場合、充電対象への電力供給を遮断することができる。このように、充電対象が充電を完了しなかった状況でも無線電力受信機は無負荷状態で充電を進めることができる。
【００８９】
前述した二つの場合を考慮すると、'無線電力受信機が無負荷状態で充電を進める状況'は'無線電力受信機から充電対象への電力供給が遮断された状況'を意味することができるが、実施例はこれに限られない。
【００９０】
一方、実施例による無線電力送信機１００は、無線電力受信機が充電を完了せずに無負荷状態で充電を進める状況にあるかを次のような四つの条件の少なくとも二つの条件が満たされるかを検査して認知することができる。
【００９１】
第１条件として、送信制御部１４０はコイル電流（ｃｏｉｌ  ｃｕｒｒｅｎｔ）（ＩＣ）がレール電流（ｒａｉｌ  ｃｕｒｒｅｎｔ）（ＩＲ）より大きいかを検査することができる。
【００９２】
レール電流（ＩＲ）とは、レベル変換部１２２から電力センサー１２４に流れる電流を意味することができる。また、コイル電流とは、送信コイル端１３６に含まれた複数の送信コイルのうち'該当送信コイル'に流れる電流を意味することができる。
【００９３】
図４ａ及び図４ｂはコイル電流（ＩＣ）とレール電流（ＩＲ）を比較するグラフであって、横軸は時間を示し、縦軸はレベルを示す。
【００９４】
一般に、無線電力受信機で充電を完了しなくて進めている場合、図４ａに示したように、レール電流はコイル電流より大きい値を維持する。しかし、無線電力受信機で充電が完了した場合、図４ｂに示したように、コイル電流がレール電流より大きくなる。このように、無線電力受信機が無負荷状態で充電を進める状況でコイル電流がレール電流より大きくなることがある。
【００９５】
前述した第１条件を遂行するため、図３に示したように、無線電力送信機１００は第１及び第２センサー１６２、１６４及び比較部１６８を含むことができる。第１センサー１６２はレベル変換部１２２と電力センサー１２４の間に連結され、レール電流のレベルを測定し、測定された結果を比較部１６８に出力する。第２センサー１６４は送信コイル端１３６で'該当送信コイル'に流れるコイル電流のレベルを測定し、測定された結果を比較部１６８に出力する。
【００９６】
比較部１６８は第１センサー１６２で測定されたレール電流のレベルと第２センサー１６４で測定されたコイル電流のレベルを比較し、比較された結果を送信制御部１４０に出力する。
【００９７】
送信制御部１４０は比較部１６８で比較された結果を用いて、コイル電流がレール電流より大きいかを判断することができる。
【００９８】
第２条件として、送信制御部１４０は無線電力受信機の充電率が第１所定時間の間に一定に維持されるかを検査することができる。
【００９９】
無線電力受信機に含まれた充電対象の充電率は事前に決定されることができる。したがって、送信制御部１４０は事前に決定された充電率のどおりに充電対象が完充されなかったままで第１所定時間の間に完充に及ばない充電率を一定に維持するかを検査することができる。
【０１００】
例えば、前述した第２条件は第１条件が満たされるときに遂行することもでき、第１条件の充足可否に無関係に遂行することもできる。
【０１０１】
仮に、第１条件が満たされるときに第２条件を遂行すれば、コイル電流がレール電流より大きい場合には、前述したように、一般的に無線電力受信機の充電が完了した場合である。それにもかかわらず、充電対象の充電が完充されなかったまま、第１所定時間の間に一様に維持されれば、送信制御部１４０は無線電力受信機が無負荷状態で充電を進めると決定することができる。
【０１０２】
送信制御部１４０で無線電力受信機の充電対象の充電率を検査するため、無線電力受信部から伝送されたフィードバック信号を用いることができるが、実施例はこれに限られない。
【０１０３】
第３条件として、送信制御部１４０は無線電力受信機から充電完了信号が第２所定時間の間に受信されなかったかを検査することができる。ここで、第２所定時間は、例えば１時間であってもよいが、実施例はこれに限られない。
【０１０４】
無線電力受信機に含まれた充電対象が充電を完了する場合、無線電力受信機の充電完了を無線電力送信機に伝送することができる。無線電力受信機に含まれた充電対象の充電にかかる第２所定時間は前もって決定されることができる。したがって、送信制御部１４０は前もって決定された第２所定時間の間に充電完了信号が無線電力受信部から伝送されなかったかを検査することができる。
【０１０５】
例えば、前述した第３条件は第１条件が満たされるときに遂行することもできる。この場合、コイル電流がレール電流より大きい場合には、前述したように、一般的に無線電力受信機の充電が完了した場合である。それにもかかわらず、無線電力受信機から充電が完了したことを指示する所定の制御信号が第２所定時間の間に無線電力送信機に受信されなかったならば、送信制御部１４０は無線電力受信機の充電が完了しなかった状態で無線電力受信機が無負荷状態で充電を進めると決定することができる。
【０１０６】
無線電力受信機の充電が完了したことを知らせる情報はフィードバック信号によって無線電力受信部から無線電力送信部に伝送されることができる。
【０１０７】
送信制御部１４０は、無線電力受信機から伝送されて送信コイル端１３６を介して入ったフィードバック信号を分析することによって前述した第２及び第３条件を遂行することができる。
【０１０８】
第４条件として、無線電力送信機の温度が上限臨界範囲内にあるかを検査する。例えば、上限臨界範囲は６５°〜７５°であり得るが、実施例はこれに限られない。
【０１０９】
このために、温度測定部１６６がさらに配置されることもできる。温度測定部１６６は、無線電力送信機１００の温度を測定し、測定された結果を送信制御部１４０に出力することができる。例えば、温度測定部１６６はサーミスター（ｔｈｅｒｍｉｓｔｅｒ）から具現されることができるが、実施例はこれに限られない。よって、送信制御部１４０は、温度測定部１６６で測定された無線電力送信機１００の温度が上限臨界範囲内で一定時間の間に維持されるかをチェックし、チェックされた結果によって無線電力受信機が無負荷状態で充電を進めるかを検査することができる。
【０１１０】
前述した多様な方法によって、無線電力受信機が充電を完了せずに無負荷状態で充電を進めていると決定する場合、送信制御部１４０は、無線電力受信機に電力信号が供給されることを一時的に中断してから再開することができる。ここで、無線電力受信機への電力信号の供給が一時的に中断される期間は無線電力受信機、特に充電対象の温度を数℃程度、例えば２℃程度下げるのにかかる程度の期間であり得る。例えば、一時的な中断期間は１０分であり得るが、実施例はこれに限られない。
【０１１１】
また、送信制御部１４０の制御の下で、無線電力送信機１００が無線電力受信機への電力信号の供給を一時的に中断してから再開する動作は複数回繰り返し遂行することができる。ここで、繰り返し回数は２回程度であり得るが、実施例は特定の繰り返し回数に限られない。
【０１１２】
また、一時的に電力信号の供給を中断するため、送信制御部１４０は、電源部１１０が供給電力を電力変換部１２０に提供することができないように遮断することもでき、増幅器１２６が増幅された電力信号を出力することができないように遮断することもできるが、実施例は電力信号供給遮断の特定の方式に限られない。
【０１１３】
以下、前述した実施例による無線電力送信機１００から電力を受ける無線電力受信機２００について添付図面に基づいて次のように説明する。
【０１１４】
図５は図４による無線電力送信機１００から電力を受けることができる無線電力受信機２００のブロック図を示す。理解を助けるために、実線は電力（又は、電力信号）の移動を示し、点線は電力以外の制御信号及び状態信号の移動を示す。
【０１１５】
図５を参照すると、無線電力受信機２００は、受信コイル２１０、整流部２２０、電圧制御部２３０、受信制御部２４０、変調部２５０及び充電対象（又は、負荷）２６０を含むことができる。
【０１１６】
受信コイル２1０は共振回路（ｒｅｓｏｎａｎｔ  ｃｉｒｃｕｉｔ）を構成することができる２次コイル（ｓｅｃｏｎｄａｒｙ  ｃｏｉｌ）を含むことができる。電力伝送効率を強化するために、選択的に受信コイル２1０に直列又は並列でキャパシターを連結することができる。電磁気誘導方式によって、無線電力送信機１００から無線電力受信機２００に電力を伝送するとき、受信コイル２1０は送信コイル端１３６で'該当送信コイル'と電磁場によって結合することができる。
【０１１７】
整流部２２０は、受信コイル２1０を介して入力されるＡＣ形態の電力信号を全波整流（ｆｕｌｌ−ｗａｖｅ  ｒｅｃｔｉｆｉｃａｔｉｏｎ）し、全波整流された結果を電圧制御部２３０に出力する。
【０１１８】
電圧制御部２３０は、整流部２２０から出力される全波整流された結果を充電対象２６０に充電可能なレベルのＤＣ形態の電力信号に変換する。電圧制御部２３０は、充電対象２６０が要求する電圧レベルに適するように又は充電対象２6０の状態に応じてＤＣ形態の電力信号の電圧大きさ又は電流量を調節することもできる。例えば、電圧制御部２３０はＤＣ／ＤＣコンバーターであってもよいが、実施例はこれに限られない。
【０１１９】
受信制御部２４０は、充電対象２６０を監視して充電過程を統制し、無線電力送信機１００の通信のために変調部２５０を動作させる。また、受信制御部２４０は、無線電力受信機２００の正常動作を遂行するために必要な付随的な動作環境を監視及び統制することができる。
【０１２０】
また、受信制御部２４０は、充電対象２６０の充電が完了するときにそれ以上の電力が充電対象２６０に供給されないように、整流部２２０又は電圧制御部２３０を制御して、無線電力受信機２００が無負荷状態で充電を進めるようにすることができる。この時、受信制御部２４０は、充電が完了したことを知らせる充電完了状態についての情報をフィードバック信号に含ませて変調部２５０を介して無線電力送信機１００に伝送することができる。
【０１２１】
また、充電対象２６０の充電が完了しなかった場合であっても、受信制御部２４０は、充電対象２６０の温度が高いとき、整流部２２０又は電圧制御部２３０を制御して充電対象２６０への電力信号の供給を遮断することで、無線電力受信機２００が無負荷状態で充電を進めるようにすることができる。
【０１２２】
また、受信制御部２４０は、充電対象２６０の前述した充電完了状態、充電率又は充電所要時間の少なくとも一つについての情報を含むフィードバック信号を生成し、生成されたフィードバック信号を変調部２５０に出力することができる。このように、フィードバック信号は無線電力受信機２００の充電過程の状態又は充電結果についての情報を含むことができる。
【０１２３】
また、変調部２５０は通常抵抗とキャパシターを含んでおり、受信制御部２４０で生成されて受信コイル２１０を介して無線電力送信機１００に伝送されるフィードバック信号を変調する役割をする。
【０１２４】
以下、前述した無線電力送信機１００で行われる無線電力送信方法を添付図面に基づいて次のように説明する。
【０１２５】
図６は実施例による無線電力送信方法を説明するためのフローチャートである。
【０１２６】
図６に示した無線電力送信方法は図５に示した無線電力受信機２００に電力を無線で供給する図３に示した無線電力送信機１００で遂行することができる。
【０１２７】
まず、無線電力送信機１００は供給電力の強度を変換して電力信号を生成する（第３１０段階）。第３１０段階は、前述したように、図３に示した電力変換部１２０で遂行することができる。
【０１２８】
その後、無線電力受信機（Ｒｘ）２００が充電を完了せずに無負荷状態で充電を進めるかを判別する（第３２０段階）。第３２０段階は送信制御部１４０で遂行することができる。すなわち、前述したように、四つの条件の少なくとも二つの条件が満たされるとき、送信制御部１４０は無線電力受信機２００が充電を完了せずに無負荷状態で充電を進めると決定することができる。
【０１２９】
より詳細に、第３２０段階を遂行するため、無線電力送信機１００は、コイル電流がレール電流より大きいかを検査することができ、無線電力受信機２００の充電率が第１所定時間の間に一定に維持されるかを検査することができ、無線電力受信機２００から充電完了信号が第２所定時間の間に受信されなかったかを検査することができ、無線電力送信機１００の温度が上限臨界範囲内で一定時間の間に維持されるかを検査することができる。
【０１３０】
例えば、無線電力送信機１００は、コイル電流がレール電流より大きい第1条件が満たされ、充電完了信号が第２所定時間の間に、例えば少なくとも数時間の間に受信されなかった第３条件が満たされるとき、無線電力受信機２００が充電を完了しなかったままで無負荷状態で充電を進めると決定することができるが、実施例はこれに限られない。
【０１３１】
その他に、前述した四つの条件の少なくとも二つの組合せが満たされるとき、無線電力受信機２００が充電を完了しなかったままで無負荷状態で充電を進めると決定することができる。
【０１３２】
仮に、無線電力受信機２００が充電を完了せずに無負荷状態で充電を進めると決定されるとき、電力信号の供給を一時的に中断してから再開する動作を少なくとも１回遂行することができる（第３３０段階）。第３３０段階は送信制御部１４０で遂行することができる。すなわち、送信制御部１４０は前述した四つの条件の少なくとも二つが満たされるとき、電源部１１０又は増幅器１２６を制御して、電力信号が送信コイル端１３６に伝送されることを一時的に遮断させるとか再開することができる。
【０１３３】
図７ａ及び図７ｂは無線電力受信機２００が充電を完了しなかったままで無負荷状態で充電を進める場合、比較例による無線電力送信機の制御動作を説明するためのグラフである。
【０１３４】
図８ａ及び図８ｂは無線電力受信機２００が充電を完了しなかったままで無負荷状態で充電を進める場合、実施例による無線電力送信機１００の制御動作を説明するためのグラフである。
【０１３５】
図７ａ及び図８ａのそれぞれにおいて、縦軸は充電率を示し、横軸は時間を示す。図７ｂ及び図８ｂのそれぞれにおいて、縦軸は温度を示し、横軸は時間を示す。
【０１３６】
図７ａに示したように、無線電力受信機２００が７０％まで充電して充電を完了しなかった状況で充電対象２６０の温度が一定の温度より上がれば、無線電力受信機は充電対象２６０への電力供給を遮断する無負荷状態で充電を進める。
【０１３７】
この場合、比較例によると、無線電力送信機は無線電力受信機２００から充電完了信号を受けなかっただけでなく無線電力受信機２００が低電力で電力をずっと充電すると認識して、無線電力受信機２００に電力をずっと供給する。したがって、無線電力受信機２００の充電率が増加しなかった状態で、すなわち無線電力受信機２００の充電対象２６０に電力が充電されなかった状態で長期間（Ｔ）、例えば１０時間以上の間に不必要に電力が消耗されるだけでなく無線電力受信機２００そのものの温度が増加する問題点がある。
【０１３８】
しかし、実施例によると、無線電力送信機１００が無線電力受信機２００から充電完了信号を受けなかったと言っても、前述した四つの条件、すなわちコイル電流がレール電流より大きい第１条件、無線電力受信機２００の充電率が第１所定時間の間に一定に維持される第２条件、無線電力受信機２００から充電完了信号が第２所定時間の間に受信されない第３条件、又は無線電力送信機1００の温度が上限臨界範囲内で一定時間の間に維持される第４条件の少なくとも二つが満たされるかを送信制御部１４０が検査する。この時、少なくとも二つの条件が満たされるとき、送信制御部１４０は電力を一時的に無線電力受信機２００に伝送しなかった後に電力の供給を再開する動作を少なくとも１回、例えば２回程度繰り返す。したがって、一時的に電力供給が遮断されることにより、無線電力受信機２００、特に充電対象２６０の温度が数℃程度下がることがあるから、無線電力受信機２００の充電時間を、図７ａの比較例に比べ、図８ａに示したようによほど縮めることができ、不必要な電力消耗を減らすことができ、無線電力受信機２００の充電時間を大幅に減らすことができる。
【０１３９】
前述した実施例による無線電力送信機、無線電力受信機及び無線電力送信方法は、無線電力送信機から無線電力受信機に磁気誘導方式によって電力を無線で伝送する場合に限って説明した。しかし、実施例はこれに限られない。すなわち、前述した実施例による無線電力送信機、無線電力受信機及び無線電力送信方法は磁気誘導方式の代わりに電磁共振方式又は短波長無線周波数を用いたＲＦ伝送方式によって無線電力送信機から無線電力受信機に電力を無線で伝送する場合にも適用することができるのは言うまでもない。
【０１４０】
前述した実施例による無線電力送信方法はコンピュータで実行されるためのプログラムに製作されてコンピュータ可読の記録媒体に保存されることができ、コンピュータ可読の記録媒体の例としては、ＲＯＭ、ＲＡＭ、ＣＤ−ＲＯＭ、磁気テープ、フロッピー（登録商標）ディスク、光データ記憶装置などがあり、さらに搬送波（例えば、インターネットを介しての伝送）の形態に具現されるものも含む。
【０１４１】
コンピュータ可読の記録媒体はネットワークを介して連結されたコンピュータシステムに分散され、分散方式でコンピュータが読めるコードが保存されて実行されることができる。そして、上述した方法を具現するための機能的な（ｆｕｎｃｔｉｏｎ）プログラム、コード及びコードセグメントは実施例が属する技術分野のプログラマーによって容易に推論可能である。
【０１４２】
前述した実施例による無線電力送信機１００は多様な装置に含まれ、無線電力受信機２００に電力を無線で伝送することができる。以下、無線電力送信機１００が車両に適用（又は、装着）される場合、無線電力送信機１００と連結された車両の構成及び動作について添付の図９を参照して次のように説明する。
【０１４３】
図９は実施例による無線電力送信機１００と連結された車両４００の概略ブロック図を示す。
【０１４４】
図９に示した車両４００は、バックコンバーター（ｂｕｃｋ  ｃｏｎｖｅｒｔｅｒ）１２２Ａ、センサー１２４Ａ、保護部４０２、入力電圧モニタリング（ｍｏｎｉｔｏｒｉｎｇ）部４０４、インターフェース（ｉｎｔｅｒｆａｃｅ）部４０６、ＣＡＮ（Ｃｏｎｔｒｏｌｌｅｒ  Ａｒｅａ  Ｎｅｔｗｏｒｋ）トランシーバー（ｔｒａｎｓｃｅｉｖｅｒ）４０８、ディスプレイ部４１０、第１レギュレーター４１２、信号合成部４１４、第２レギュレーター４１６及び主制御部４１８を含むことができる。
【０１４５】
保護部４０２は、車両４００のバッテリー（図示せず）から供給される電圧（ＢＡＴ）をバックコンバーター１２２Ａに出力する。この時、保護部４０２はバッテリーから供給され得る過電圧又は逆電圧からバックコンバーター１２２Ａを保護する役割をする。
【０１４６】
図９に示したバックコンバーター１２２Ａ及びセンサー１２４Ａは図３に示したレベル変換部１２２及び電力センサー１２４のそれぞれの実施例に相当する。バックコンバーター１２２Ａは保護部４０２を介してバッテリーから供給される供給電力のレベルを変換し、変換されたレベルを有する信号を電力信号としてセンサー１２４Ａに出力する。センサー１２４Ａはバックコンバーター１２２Ａで変換されたレベルを持って出力される電力信号の電圧／電流を測定して出力端子ＯＵＴ１を介して送信制御部１４０に提供することができる。
【０１４７】
入力電圧モニタリング部４０４は入力端子ＩＮ１を介してスマートキー信号又は点火信号が受信されるかをモニターし、モニターされた結果を主制御部４１８に出力する。ここで、スマートキー信号とは、車両４００の無線電力送信機１００が無線で電力信号を無線電力受信機２００に提供する行為を強制で止めようとする使用者がスマートキー（図示せず）を用いて発生させる信号を意味する。例えば、無線電力信号を強制で止めようとする場合は第１論理レベル（例えば"低"論理レベル）のスマートキー信号が発生し、そうではない場合は第２論理レベル（例えば"高"論理レベル）のスマートキー信号が発生することができる。また、点火信号とは、車両４００を始動させるときに発生する信号を意味し、例えば始動される場合は第２論理レベル（例えば、"高"論理レベル）の点火信号が発生し、そうではない場合は第１論理レベル（例えば"低"論理レベル）の点火信号が発生することができる。
【０１４８】
また、入力電圧モニタリング部４０４から発生するモニターされた結果を用いて、主制御部４１８は車両が始動されたか及び使用者が無線電力送信を強制で止めようとするかを認識し、認識された結果を出力端子ＯＵＴ４を介して送信制御部１４０に出力する。この時、送信制御部１４０は、主制御部４１８から出力された認識された結果によって、無線電力送信機１００が無線電力伝送を止めるようにする。
【０１４９】
主制御部４１８はマスター（ｍａｓｔｅｒ）制御部の役割をし、送信制御部１４０はスレーブ（ｓｌａｖｅ）制御部の役割をする。すなわち、送信制御部１４０は主制御部４１８の制御を受ける。このために、主制御部４１８と送信制御部１４０はＳＰＩ（Ｓｅｒｉａｌ  Ｐｅｒｉｐｈｅｒａｌ  Ｉｎｔｅｒｆａｃｅ）通信を行うとかＩ２Ｃ通信を行うことができる。
【０１５０】
また、主制御部４１８はスマートキー信号又は点火信号が発生しなかった状態でも、第２論理レベルの信号を発生して信号合成部４１４に出力することができる。
【０１５１】
センサー１２４Ａで測定された電圧／電流のレベルによってバックコンバーター１２２Ａでレベル変換された供給電力のレベルが高いとか低いと判断されるとき、主制御部４１８は第１制御信号（Ｃ１）によってバックコンバーター１２２Ａで変換させるレベルを調整することができる。
【０１５２】
また、インターフェース部４０６は入力端子ＩＮ１を介して受信されたスマートキー信号又は点火信号を信号合成部４１４に出力する役割をする。信号合成部４１４は、インターフェース部４０６から第２論理レベルのスマートキー信号が出力されるとか、主制御部４１８から第２論理レベルの制御信号が受信されれば、第１レギュレーター４１２でレベル調整しないようにするとか、レベル調整された電圧が出力されないようにすることができる。このために、信号合成部４１４は論理和（ＯＲ）ゲートから具現されることができる。
【０１５３】
第１レギュレーター４１２は、保護部４０２を介してバッテリーから提供される供給電圧のレベルを所定のレベルに変換し、変換されたレベルを有する供給電圧を出力端子ＯＵＴ２を介して無線電力送信機１００の各部に出力する。ここで、所定のレベルは６．５ボルトであり得るが、実施例はこれに限られない。例えば、信号合成部４１４から出力される"高"論理レベルの制御電圧に応じて、第１レギュレーター４１２は前述したレベル変換動作を行わないこともある。
【０１５４】
第２レギュレーター４１６は第１レギュレーター４１２から出力される供給電圧のレベルをさらに調整して、所望のレベルを有する信号を出力端子ＯＵＴ３を介して送信制御部１４０に出力するとか主制御部４１８に出力することができる。例えば、第２レギュレーター４１６は供給電圧のレベルを変換し、変換されたレベル、例えば５．５ボルトの信号を主制御部４１８に出力し、出力端子ＯＵＴ３を介して変換されたレベル、例えば３．３ボルトの信号を送信制御部１４０に出力することができる。
【０１５５】
前述した第１及び第２レギュレーター４１２、４１６のそれぞれで変換されるレベルは固定され、バックコンバーター１２２Ａで変換されるレベルは主制御部４１８の制御によって可変することができる。
【０１５６】
一方、ＣＡＮトランシーバー４０８は車両４００の通信のためのＣＡＮ信号（ＣＡＮ）を受信し、これによって主制御部４１８と内部的に通信を行うことができる。
【０１５７】
ディスプレイ部４１０は、主制御部４１８の制御の下で、無線電力受信機２００の充電中の状況を使用者に視覚的に見せることもできる。
【０１５８】
本発明は本発明の精神及び必須特徴を逸脱しない範疇内で他の特定の形態に具体化されることができるのは当業者に明らかである。
【０１５９】
したがって、前記詳細な説明は全ての面で制限的に解釈されてはいけなくて例示的なものとし見なされなければならない。本発明の範囲は添付の請求範囲の合理的解釈によって決定されなければならなく、本発明の等価的範囲内での全ての変更は本発明の範囲に含まれる。
【手続補正２】
【補正対象書類名】特許請求の範囲
【補正対象項目名】全文
【補正方法】変更
【補正の内容】
【特許請求の範囲】
【請求項１】
供給電力の強度を直流電力に変換する電力変換部；
前記変換された直流電力に基づいて交流電力信号を生成してから無線電力受信機に伝送する電力伝送部；及び
前記無線電力受信機の無負荷状態充電であるかを検査し、前記検査結果、前記無負荷状態充電であれば、前記交流電力信号が非連続的に伝送されるように制御する送信制御部
を含む、無線電力送信機。
【請求項２】
前記送信制御部が前記交流電力信号の伝送を一時的に中断してから再開する動作が複数回繰り返すように制御する、請求項１に記載の無線電力送信機。
【請求項３】
前記電力伝送部は、
前記直流電力に特定の周波数を有する交流成分を挿入して前記交流電力信号を生成する周波数駆動部；及び
前記交流電力信号を送信コイルを用いて無線で伝送する送信コイル端
を含む、請求項１に記載の無線電力送信機。
【請求項４】
前記送信コイル端は複数の送信コイルを含み、
前記電力伝送部は、
前記複数の送信コイルのうち前記交流電力信号を伝送する送信コイルを選択するためのコイル選択部
をさらに含む、請求項３に記載の無線電力送信機。
【請求項５】
前記無線電力受信機から伝送されて前記送信コイル端を介して受信されたフィードバック信号を復調する復調部
をさらに含み、
前記送信制御部は、
前記復調部で復調されたフィードバック信号によって前記周波数駆動部を制御して、前記送信コイル端に伝達される前記交流電力信号の周波数を変更する、請求項３に記載の無線電力送信機。
【請求項６】
前記電力変換部は、
前記供給電力のレベルを変換するレベル変換部；及び
前記レベル変換された供給電力の電圧／電流を測定する電力センサー
を含み、
前記送信制御部は、前記電力センサーで測定された結果によって前記レベル変換部への前記供給電力の供給を遮断させる、請求項３に記載の無線電力送信機。
【請求項７】
前記レベル変換部から前記電力センサーに流れるレール電流のレベルを測定する第１センサー；
前記交流電力信号を伝送する送信コイルに流れるコイル電流のレベルを測定する第２センサー；及び
前記第１センサー及び前記第２センサーで測定された結果を比較する比較部
をさらに含み、
前記送信制御部は、
前記比較部で比較された結果に基づいて前記無線電力受信機の無負荷状態充電であるかを検査する、請求項６に記載の無線電力送信機。
【請求項８】
前記送信制御部は、
前記復調されたフィードバック信号を分析して、前記無線電力受信機の完充に及ばない充電率が第１所定時間の間に一定に維持されるか；又は前記無線電力受信機から充電完了信号が第２所定時間の間に受信されないかの少なくとも一つを決定し、前記決定された結果に基づいて前記無線電力受信機の無負荷状態充電であるかを検査する、請求項５に記載の無線電力送信機。
【請求項９】
温度を測定する温度測定部
をさらに含み、
前記送信制御部は、
前記温度測定部で測定された温度が上限臨界範囲内で一定時間の間に維持されるかをチェックし、前記チェックされた結果に基づいて前記無線電力受信機の無負荷状態充電であるかを検査する、請求項５に記載の無線電力送信機。
【請求項１０】
前記上限臨界範囲は６５°〜７５°である、請求項９に記載の無線電力送信機。
【請求項１１】
交流電力信号を受信する受信コイル；
前記交流電力信号を用いてフィードバック信号を変調する変調部；
前記交流電力信号を直流電力信号に整流して充電対象に提供する整流部；及び
前記充電対象の温度が限界温度を超えれば、無負荷状態充電の判断に必要な所定フィードバック信号が前記変調部によって変調されるように制御する受信制御部
を含む、無線電力受信機。
【請求項１２】
前記フィードバック信号を受信した無線電力送信機が少なくとも前記フィードバック信号に基づいて前記無負荷状態充電であるかを判断することを特徴とする、請求項１１に記載の無線電力受信機。
【請求項１３】
前記フィードバック信号は、
前記充電対象の充電率、充電所要時間、又は充電完了状態の少なくとも一つについての情報を含む、請求項１２に記載の無線電力受信機。
【請求項１４】
供給電力の強度を直流電力に変換する段階；
前記変換された直流電力に基づいて生成した交流電力信号を無線で伝送する段階；及び
無負荷状態充電であるかを検査する段階；及び
前記検査結果、前記無負荷状態充電であれば、前記交流電力信号を非連続的に伝送する段階
を含む、無線電力送信方法。
【請求項１５】
前記無負荷状態充電であるかを検査する段階は、
前記変換された直流電力に相応するレール電流のレベルを測定する段階；
前記交流電力信号を伝送する送信コイルに流れるコイル電流のレベルを測定する段階；及び
前記レール電流と前記コイル電流の強度を比較する段階
を含み、
前記比較された結果に基づいて該当無線電力受信機の無負荷状態充電であるかを検査する、請求項１４に記載の無線電力送信方法。
【請求項１６】
フィードバック信号を復調する段階
をさらに含み、
前記復調されたフィードバック信号を分析して、該当無線電力受信機の完充に及ばない充電率が第１所定時間の間に一定に維持されるか；又は
該当無線電力受信機から充電完了信号が第２所定時間の間に受信されないかの少なくとも一つを決定し、前記決定された結果に基づいて該当無線電力受信機の前記無負荷状態充電であるかを検査する、請求項１４に記載の無線電力送信方法。
【請求項１７】
温度を測定する段階
をさらに含み、
前記測定された温度が上限臨界範囲内で一定時間の間に維持されるかをチェックし、前記チェックされた結果に基づいて該当無線電力受信機の前記無負荷状態充電であるかを検査する、請求項１４に記載の無線電力送信方法。
【請求項１８】
前記上限臨界範囲は６５°〜７５°である、請求項１７に記載の無線電力送信方法。
【請求項１９】
前記交流電力信号を非連続的に伝送する段階は、
前記交流電力信号の伝送を一時的に中断してから再開する動作を複数回繰り返す段階を含む、請求項１４に記載の無線電力送信方法。
【請求項２０】
コイル電流がレール電流より大きい第１条件；
該当無線電力受信機の完充に及ばない充電率が第１所定時間の間に一定に維持される第２条件；
該当無線電力受信機から充電完了信号が第２所定時間の間に受信されない第３条件；及び
内部温度が上限臨界範囲内で一定時間の間に維持される第４条件；
の少なくとも二つの条件が満たされるとき、該当無線電力受信機が前記無負荷状態充電であると決定する、請求項１４に記載の無線電力送信方法。
【国際調査報告】
2018536377.tif 000015
2018536377.tif 000016
2018536377.tif 000017
2018536377.tif 000018